(57)【特許請求の範囲】
【請求項１】
移動通信システムでの端末の干渉除去方法において、
干渉チャネルの第１の伝送パラメータを受信する段階と、
前記干渉チャネルに特定ＴＭ（transmission mode）が支援されるか否かを、前記第１の伝送パラメータに基づいて判断する段階と、
前記干渉チャネルに前記特定ＴＭが支援されれば、前記干渉チャネルの仮想セル識別子（virtual cell identification、ＶＣＩＤ）及びスクラムブリング識別子（scrambling identification、ＳＣＩＤ）組合候補群に基づいて決定されたＤＭＲＳ（demodulation reference signal）及びブラインド検出（blind detection）に基づいて、前記干渉チャネルのチャンネル状態を推定する段階と、
前記チャンネル状態に基づいて前記干渉チャネルの第２の伝送パラメータを獲得する段階と、
前記干渉チャネルの第２の伝送パラメータに基づいて前記端末に対する干渉を除去する段階と、を含む
ことを特徴とする方法。
【請求項２】
前記特定ＴＭは、ＴＭ１０である
ことを特徴とする請求項１に記載の方法。
【請求項３】
前記端末の伝送モードが前記特定ＴＭであるか否かを判断する段階と、
前記端末の伝送モードが前記特定ＴＭであれば、前記端末の制御チャネルを介して前記端末のデータ伝送のためのＶＣＩＤ及びＳＣＩＤを確認する段階と、をさらに含み、
前記ＶＣＩＤとＳＣＩＤの組合候補群のうち前記端末に対するデータ伝送に用いられるＶＣＩＤとＳＣＩＤの組合を除いた候補群から前記ブラインド検出を行う
ことを特徴とする請求項１に記載の方法。
【請求項４】
前記第２の伝送パラメータは、
前記端末に対して最も高い干渉を与える干渉セルの変調次数、ランク指示子またはプリコーディングマトリックスインデックスのうち少なくとも一つについての情報を含む
ことを特徴とする請求項１に記載の方法。
【請求項５】
前記組合候補群に含まれた各組合に対して前記ＤＭＲＳが存在するか否かを判断する段階と、
前記ＤＭＲＳが存在すると判断された組合のみに対して前記ブラインド検出を行う段階と、をさらに含む
ことを特徴とする請求項１に記載の方法。
【請求項６】
前記ＤＭＲＳが存在する組合のうち、既定の個数の組合のみに対して前記ブラインド検出を行う
ことを特徴とする請求項５に記載の方法。
【請求項７】
前記組合候補群に含まれた各組合についての干渉チャネルの強度情報に基づいて各組合を整列する段階と、
前記整列手順に基づいてブラインド検出を行う段階と、をさらに含む
ことを特徴とする請求項１に記載の方法。
【請求項８】
前記端末の前記特定ＴＭ動作のために受信したＶＣＩＤとＳＣＩＤの組合に対して前記ブラインド検出時に優先順位を設定する
ことを特徴とする請求項２に記載の方法。
【請求項９】
前記干渉チャネルに対して前記特定ＴＭが支援されなければ、干渉セルの物理セル識別子（physical cell identification、ＰＣＩＤ）とＳＣＩＤの組合候補群に対してブラインド検出を行う段階をさらに含む
ことを特徴とする請求項１に記載の方法。
【請求項１０】
移動通信システムでの干渉除去のための端末の装置において、
少なくとも一つのネットワークノードと通信を行う通信部と、
干渉チャネルの第１の伝送パラメータを受信し、前記干渉チャネルに特定ＴＭが支援されるか否かを、前記第１の伝送パラメータに基づいて判断し、前記干渉チャネルに前記特定ＴＭが支援されれば、前記干渉チャネルの仮想セル識別子（virtual cell identification、ＶＣＩＤ）及びスクラムブリング識別子（scrambling identification、ＳＣＩＤ）組合候補群に基づいて決定されたＤＭＲＳ（demodulation reference signal）及びブラインド検出（ｂｌｉｎｄ  ｄｅｔｅｃｔｉｏｎ）に基づいて、前記干渉チャネルのチャンネル状態を推定し、前記チャンネル状態に基づいて前記干渉チャネルの第２の伝送パラメータを獲得し、前記干渉チャネルの第２の伝送パラメータに基づいて前記端末に対する干渉を除去するように制御する制御部と、を含む
ことを特徴とする装置。
【請求項１１】
前記特定ＴＭは、ＴＭ１０である
ことを特徴とする請求項１０に記載の装置。
【請求項１２】
前記制御部は、
前記端末の伝送モードが前記特定ＴＭであるか否かを判断し、前記端末の伝送モードが前記特定ＴＭであれば、前記端末の制御チャネルを介して前記端末のデータ伝送のためのＶＣＩＤ及びＳＣＩＤを確認するように制御し、
前記ＶＣＩＤとＳＣＩＤの組合候補群のうち前記端末に対するデータ伝送に用いられるＶＣＩＤとＳＣＩＤの組合を除いた候補群から前記ブラインド検出を行うように制御する
ことを特徴とする請求項１０に記載の装置。
【請求項１３】
前記第２の伝送パラメータは、
前記端末に対して最も高い干渉を与える干渉セルの変調次数、ランク指示子またはプリコーディングマトリックスインデックスのうち少なくとも一つについての情報を含む
ことを特徴とする請求項１０に記載の装置。
【請求項１４】
前記制御部は、
前記組合候補群に含まれた各組合に対して前記ＤＭＲＳが存在するか否かを判断し、前記ＤＭＲＳが存在すると判断された組合のみに対して前記ブラインド検出を行うように制御する
ことを特徴とする請求項１０に記載の装置。
【請求項１５】
前記制御部は、
前記ＤＭＲＳが存在する組合のうち、既定の個数の組合のみに対して前記ブラインド検出を行うように制御する
ことを特徴とする請求項１４に記載の装置。
【請求項１６】
前記制御部は、
前記組合候補群に含まれた各組合についての干渉チャネルの強度情報に基づいて各組合を整列し、前記整列手順に基づいてブラインド検出を行うように制御する
ことを特徴とする請求項１０に記載の装置。
【請求項１７】
前記制御部は、
前記端末の前記特定ＴＭ動作のために受信したＶＣＩＤとＳＣＩＤの組合に対して前記ブラインド検出時に優先順位を設定するように制御する
ことを特徴とする請求項１１に記載の装置。
【請求項１８】
前記制御部は、
前記干渉チャネルに対して前記特定ＴＭが支援されなければ、干渉セルの物理セル識別子（physical cell identification、ＰＣＩＤ）とＳＣＩＤの組合候補群に対してブラインド検出を行うように制御する
ことを特徴とする請求項１０に記載の装置。
【発明の詳細な説明】
【技術分野】
【０００１】
本発明は、無線通信システムでのダウンリンクデータ受信方法及び装置に関し、干渉信号発生時に干渉信号除去及び抑制を用いてダウンリンクデータを受信する方法及び装置に関する。
【背景技術】
【０００２】
４Ｇ通信システム商用化後に増加傾向にある無線データトラフィック需要を満たすために、改善された５Ｇ通信システムまたはｐｒｅ−５Ｇ通信システムを開発するための努力が行われている。このような理由で、５Ｇ通信システムまたはｐｒｅ−５Ｇ通信システムは、４Ｇネットワーク以後の（Ｂｅｙｏｎｄ  ４Ｇ  Ｎｅｔｗｏｒｋ）通信システムまたはＬＴＥシステム以後の（Ｐｏｓｔ  ＬＴＥ）システムと呼ばれられている。高いデータ伝送率を達成するために、５Ｇ通信システムは、超高周波（ｍｍＷａｖｅ）帯域（例えば、６０ギガ（６０ＧＨｚ）帯域のような）での具現が考慮されている。超高周波帯域での電波の経路損失緩和及び電波の伝達距離を増加させるために、５Ｇ通信システムでは、ビームフォーミング（ｂｅａｍｆｏｒｍｉｎｇ）、巨大配列多重入出力（ｍａｓｓｉｖｅ  ＭＩＭＯ）、全次元多重入出力（Ｆｕｌｌ  Ｄｉｍｅｎｓｉｏｎａｌ  ＭＩＭＯ：ＦＤ−ＭＩＭＯ）、アレイアンテナ（ａｒｒａｙ  ａｎｔｅｎｎａ）、アナログビーム形成（ａｎａｌｏｇ  ｂｅａｍ−ｆｏｒｍｉｎｇ）、及び大規模アンテナ（ｌａｒｇｅ  ｓｃａｌｅ  ａｎｔｅｎｎａ）技術が論議されている。また、システムのネットワーク改善のために、５Ｇ通信システムでは、進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間の通信（Ｄｅｖｉｃｅ  ｔｏ  Ｄｅｖｉｃｅ  ｃｏｍｍｕｎｉｃａｔｉｏｎ：Ｄ２Ｄ）、無線バックホール（ｗｉｒｅｌｅｓｓ  ｂａｃｋｈａｕｌ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（Ｃｏｏｒｄｉｎａｔｅｄ  Ｍｕｌｔｉ−Ｐｏｉｎｔｓ）、及び受信干渉除去（ｉｎｔｅｒｆｅｒｅｎｃｅ  ｃａｎｃｅｌｌａｔｉｏｎ）等の技術開発が行われている。そのほか、５Ｇシステムでは、進歩されたコーディング変調（Ａｄｖａｎｃｅｄ  Ｃｏｄｉｎｇ  Ｍｏｄｕｌａｔｉｏｎ：ＡＣＭ）方式であるＦＱＡＭ（Ｈｙｂｒｉｄ  ＦＳＫ  ａｎｄ  ＱＡＭ  Ｍｏｄｕｌａｔｉｏｎ）及びＳＷＳＣ（Ｓｌｉｄｉｎｇ  Ｗｉｎｄｏｗ  Ｓｕｐｅｒｐｏｓｉｔｉｏｎ  Ｃｏｄｉｎｇ）と、進歩された接続技術であるＦＢＭＣ（Ｆｉｌｔｅｒ  Ｂａｎｋ  Ｍｕｌｔｉ  Ｃａｒｒｉｅｒ）、ＮＯＭＡ（ｎｏｎ  ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）等が開発されている。
【０００３】
なお、インターネットは、人間が情報を生成し消費する人間中心の連結網で、事物等分散した構成要素間に情報を取り交わして処理するＩｏＴ（Ｉｎｔｅｒｎｅｔ  ｏｆ  Ｔｈｉｎｇｓ、事物インターネット）網に進化している。クラウドサーバー等との連結を用いたビックデータ（Ｂｉｇ  ｄａｔａ）処理技術等がＩｏＴ技術に結合されたＩｏＥ（Ｉｎｔｅｒｎｅｔ  ｏｆ  Ｅｖｅｒｙｔｈｉｎｇ）技術も登場している。ＩｏＴを具現するために、センシング技術、有無線通信及びネットワークインフラ、サービスインターフェース技術、及び保安技術のような技術要素が要求され、最近、事物間の連結のためのセンサーネットワーク（ｓｅｎｓｏｒ  ｎｅｔｗｏｒｋ）、事物通信（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）等の技術が研究されている。ＩｏＴ環境では、連結された事物で生成されたデータを収集、分析し、人間の生活に新しい価値を創出する知能型ＩＴ（Ｉｎｔｅｒｎｅｔ  Ｔｅｃｈｎｏｌｏｇｙ）サービスが提供され得る。ＩｏＴは、既存のＩＴ（ｉｎｆｏｒｍａｔｉｏｎ  ｔｅｃｈｎｏｌｏｇｙ）技術と多様な産業間の融合及び複合を利用してスマートホーム、スマートビルディング、スマートシティ、スマートカーあるいはコネックティドカー、スマートグリッド、ヘルスケア、スマート家電、先端医療サービス等の分野に応用され得る。
【０００４】
これより、５Ｇ通信システムをＩｏＴ網に適用するための多様な試みが行われている。例えば、センサーネットワーク（ｓｅｎｓｏｒ  ｎｅｔｗｏｒｋ）、事物通信（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）等の５Ｇ通信技術がビームフォーミング、ＭＩＭＯ、及びアレイアンテナ等の技法によって具現されているものである。前述したビックデート処理技術としてクラウド無線アクセスネットワーク（ｃｌｏｕｄ  ＲＡＮ）が適用されることも、５Ｇ技術とＩｏＴ技術融合の一例と言える。
【０００５】
移動通信システムは、初期の音声中心のサービスを提供したものから脱して、データサービス及びマルチメディアサービス提供のために、高速、高品質の無線パケットデータ通信システムに発展している。最近、３ＧＰＰ（３ｒｄ  Ｇｅｎｅｒａｔｉｏｎ  Ｐａｒｔｎｅｒｓｈｉｐ  Ｐｒｏｊｅｃｔ）のＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ  Ａｄｖａｎｃｅｄ）、３ＧＰＰ２のＨＲＰＤ（Ｈｉｇｈ  Ｒａｔｅ  Ｐａｃｋｅｔ  Ｄａｔａ）、そしてＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の８０２．１６等多様な移動通信標準が高速、高品質の無線パケットデータ伝送サービスを支援するために開発された。特にＬＴＥシステムは、高速無線パケットデータ伝送を効率的に支援するために開発されたシステムであって、多様な無線接続技術を活用し、無線システム容量を最大化する。ＬＴＥ−Ａシステムは、ＬＴＥシステムの進歩された無線システムであって、ＬＴＥと比較して向上されたデータ伝送能力を有する。
【０００６】
ＬＴＥは、一般的に３ＧＰＰ標準団体のリリース（Ｒｅｌｅａｓｅ）８または９に該当する基地局、端末装備またはこれを含む通信システムや通信技術を意味し、ＬＴＥ−Ａは、３ＧＰＰ標準団体のＲｅｌｅａｓｅ  １０に該当する基地局、端末装備またはこれを含む通信システムや通信技術を意味する。３ＧＰＰ標準団体では、ＬＴＥ−Ａシステムの標準化以後にも、これを基盤とし、向上された性能を有する後続Ｒｅｌｅａｓｅに対する標準化を進行している。
【０００７】
ＨＳＤＰＡ、ＨＳＵＰＡ、ＨＲＰＤ、ＬＴＥ／ＬＴＥ−Ａ等の現存する３世代及び４世代無線パケットデータ通信システムは、伝送効率を改善するために、適応変調及び符号（Ａｄａｐｔｉｖｅ  Ｍｏｄｕｌａｔｉｏｎ  ａｎｄ  Ｃｏｄｉｎｇ、以下、ＡＭＣという）方法とチャネル感応スケジューリング方法等の技術を利用する。
【０００８】
ＡＭＣ方法を活用すれば、送信機は、チャネル状態によって伝送するデータの量を調節できる。すなわち、チャネル状態が良くないと、伝送するデータの量を低減し、受信エラー確率を所望の水準に調整し、チャネル状態が良いと、伝送するデータの量をふやし、受信エラー確率は、所望の水準に調整ながらも、多くの情報を効果的に伝送できる。
【０００９】
チャネル感応スケジューリング資源管理方法を活用すれば、送信機は、多くのユーザのうちチャネル状態に優れたユーザを選択的にサービスするので、一ユーザにチャネルを割り当て、サービスすることに比べて、システム容量が増加する。このような容量増加をいわゆる多重ユーザダイバシティ（Ｍｕｌｔｉ−ｕｓｅｒ  Ｄｉｖｅｒｓｉｔｙ）利得と言う。
【００１０】
要するに、ＡＭＣ方法とチャネル感応スケジューリング方法は、受信機から部分的なチャネル状態情報をフィードバック（ｆｅｅｄｂａｃｋ）されて、最も効率的であると判断される時点に適切な変調及び符号技法を適用する方法である。
【００１１】
前記のようなＡＭＣ方法は、ＭＩＭＯ（Ｍｕｌｔｉｐｌｅ  Ｉｎｐｕｔ  Ｍｕｌｔｉｐｌｅ  Ｏｕｔｐｕｔ）伝送方式と共に使用される場合、伝送される信号の空間レイヤ（ｓｐａｔｉａｌ  ｌａｙｅｒ）の個数またはランク（ｒａｎｋ）を決定する機能を含むこともできる。この場合、ＡＭＣ方法は、最適のデータ率（ｄａｔ  ａｒａｔｅ）を決定するにあたって、単純に符号化率（ｃｏｄｉｎｇ  ｒａｔｅ）と変調方式のみを考慮せず、ＭＩＭＯを利用していくつかの空間レイヤに伝送すべきかをも考慮する。
【００１２】
複数個の送信アンテナを利用して無線信号を伝送するＭＩＭＯは、一つの端末に伝送するＳＵ−ＭＩＭＯ（Ｓｉｎｇｌｅ  Ｕｓｅｒ  ＭＩＭＯ）と、同一の時間及び周波数資源を利用して複数の端末に伝送するＭＵ−ＭＩＭＯ（Ｍｕｌｔｉ−Ｕｓｅｒ  ＭＩＭＯ）とに区分される。ＳＵ−ＭＩＭＯの場合、複数の送信アンテナが一つの受信機に対して無線信号を複数の空間レイヤに伝送する。この際、受信機は、複数の受信アンテナを保有している場合にのみ、複数の空間レイヤを支援できる。一方、ＭＵ−ＭＩＭＯの場合、複数の送信アンテナが複数の受信機に対して無線信号を複数の空間レイヤに伝送する。
【００１３】
ＭＵ−ＭＩＭＯの場合、ＳＵ−ＭＩＭＯと比較するとき、受信機が複数の受信アンテナを必要としない長所を有する。但し、同一の周波数及び時間資源に複数の受信機に対して無線信号を伝送するため、異なる受信機のための無線信号の間に相互干渉が発生し得る。
【００１４】
最近、２世代と３世代移動通信システムで使用された多重接続方式であるＣＤＭＡ（Ｃｏｄｅ  Ｄｉｖｉｓｉｏｎ  Ｍｕｌｔｉｐｌｅ  Ａｃｃｅｓｓ）を次世代システムでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に転換しようとする研究が活発に進行されている。３ＧＰＰと３ＧＰＰ２は、ＯＦＤＭＡを使用する進化システムに関する標準化を進行し始めた。ＣＤＭＡ方式に比べてＯＦＤＭＡ方式で容量増大を期待できるものと知られている。ＯＦＤＭＡ方式で容量増大をもたらすさまざまな原因中の一つが、周波数軸上でのスケジューリング（Ｆｒｅｑｕｅｎｃｙ  Ｄｏｍａｉｎ  Ｓｃｈｅｄｕｌｉｎｇ）を行うことができるということである。チャネルが時間によって変わる特性によってチャネル感応スケジューリング方法を用いて容量利得を得たように、チャネルが周波数によって異なる特性を活用すると、さらに多い容量利得を得ることができる。
【００１５】
図１は、ＬＴＥ／ＬＴＥ−Ａシステムで時間及び周波数資源を示す図である。
【００１６】
図１で、ｅＮＢが端末に伝送する無線資源は、周波数軸上では、ＲＢ（ｒｅｓｏｕｒｃｅ  ｂｌｏｃｋ）単位に分けられ、時間軸上では、サブフレーム（ｓｕｂｆｒａｍｅ）１０５単位に分けられる。一つのＲＢは、ＬＴＥ／ＬＴＥ−Ａシステムで１２個の副搬送波（ｓｕｂｃａｒｒｉｅｒ）よりなることができ、１８０ｋＨｚの帯域を占めることができる。一つのサブフレームは、ＬＴＥ／ＬＴＥ−Ａシステムで１４個のＯＦＤＭシンボル区間よりなることができ、１ｍｓｅｃの時間区間を占めることができる。
【００１７】
スケジューリングを行うにあたって、ＬＴＥ／ＬＴＥ−Ａシステムは、時間軸では、サブフレーム単位で資源を割り当てることができ、周波数軸では、ＲＢ単位で資源を割り当てることができる。
【００１８】
図２は、ＬＴＥ／ＬＴＥ−Ａシステムでダウンリンクでスケジューリングできる最小単位である１サブフレーム及び１ＲＢの無線資源を示す図である。
【００１９】
図２に示された無線資源は、時間軸上で１個のサブフレームよりなり、周波数軸上で１個のＲＢよりなる。このような無線資源は、周波数領域で１２個の副搬送波よりなり、時間領域で１４個のＯＦＤＭシンボルよりなり、総１６８個の固有周波数及び時間位置を有する。ＬＴＥ／ＬＴＥ−Ａでは、図２それぞれの固有周波数及び時間位置をＲＥ（ｒｅｓｏｕｒｃｅ  ｅｌｅｍｅｎｔ）と言う。また、１個のサブフレームは、それぞれ７個のＯＦＤＭシンボルよりなる２個のスロット（ｓｌｏｔ）よりなることができる。
【００２０】
図２に示された無線資源には、複数の異なる種類の信号が伝送され得る。前記異なる種類の信号には、ＣＲＳ（Ｃｅｌｌ  Ｓｐｅｃｉｆｉｃ  Ｒｅｆｅｒｅｎｃｅ  Ｓｉｇｎａｌ；セル特定基準信号）２００、ＤＭＲＳ（Ｄｅｍｏｄｕｌａｔｉｏｎ  Ｒｅｆｅｒｅｎｃｅ  Ｓｉｇｎａｌ；復調基準信号）２０２、ＰＤＳＣＨ（Ｐｈｙｓｉｃａｌ  Ｄｏｗｎｌｉｎｋ  Ｓｈａｒｅｄ  Ｃｈａｎｎｅｌ；物理ダウンリンク共有チャネル）２０４、ＣＳＩ−ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ；チャネル状態情報基準信号）２０６またはその他制御チャネル２０８が含まれることができる。
【００２１】
ＣＲＳは、１個のセルに属するすべての端末のために（すなわち、セル特定の（ｃｅｌｌ−ｓｐｅｃｉｆｉｃ））伝送される基準信号である。
【００２２】
ＤＭＲＳは、特定端末のために（すなわち、端末特定の（ＵＥ−ｓｐｅｃｉｆｉｃ））伝送される基準信号である。
【００２３】
ＰＤＳＣＨ信号は、ダウンリンクで伝送されるデータチャネルの信号である。ＰＤＳＣＨ信号は、基地局が端末にトラフィックを伝送するために利用され、無線資源のデータ領域（ｄａｔａ  ｒｅｇｉｏｎ）２１０で基準信号が伝送されないＲＥを利用して伝送される。
【００２４】
ＣＳＩ−ＲＳは、１個のセルに属する端末のために伝送される基準信号であって、チャネル状態を測定するのに利用される。１個のセルには、複数のＣＳＩ−ＲＳが伝送され得る。
【００２５】
その他、制御チャネル信号２０８は、端末がＰＤＳＣＨを受信するのに必要な制御情報を提供する信号であるか、アップリンクのデータ送信に対するＨＡＲＱ（Ｈｙｂｒｉｄ  Ａｕｔｏｍａｔｉｃ  Ｒｅｐｅａｔｒｅ  Ｑｕｅｓｔ）を運用するためのＡＣＫ／ＮＡＣＫ信号であることができる。例えば、前記制御情報には、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）またはＰＤＣＣＨ（Ｐｈｙｓｉｃａｌ  Ｄｏｗｎｌｉｎｋ  Ｃｏｎｔｒｏｌ  Ｃｈａｎｎｅｌ）等があり得る。
【００２６】
前記信号外に、ＬＴＥ−Ａシステムでは、他の基地局の伝送するＣＳＩ−ＲＳが当該セルの端末に干渉なしに受信され得るように、ミューティング（ｍｕｔｉｎｇ）を設定できる。前記ミューティングは、ＣＳＩ−ＲＳが伝送され得る位置で適用され得、一般的に、端末は、当該無線資源を飛ばしてトラフィック信号を受信する。ＬＴＥ−Ａシステムでミューティングは、他の用語としてゼロパワー（ｚｅｒｏ−ｐｏｗｅｒ）ＣＳＩ−ＲＳと呼ばれることがある。ミューティングがＣＳＩ−ＲＳの位置に適用され、伝送電力が送信されないからである。
【００２７】
図２でＣＳＩ−ＲＳは、ＣＳＩ−ＲＳを伝送するアンテナの数によって、Ａ、Ｂ、Ｃ、Ｄ、Ｅ、Ｅ、Ｆ、Ｇ、Ｈ、Ｉ、Ｊで表示された位置の一部を利用して伝送され得る。また、前記ミューティングも、Ａ、Ｂ、Ｃ、Ｄ、Ｅ、Ｅ、Ｆ、Ｇ、Ｈ、Ｉ、Ｊで表示された位置の一部に適用され得る。
【００２８】
特に、ＣＳＩ−ＲＳは、伝送するアンテナポート数によって２個、４個、８個のＲＥに伝送され得る。アンテナポート数が２個である場合、図２で特定パターンの半分にＣＳＩ−ＲＳが伝送され、アンテナポート数が４個である場合、特定パターンの全体にＣＳＩ−ＲＳが伝送され、アンテナポート数が８個である場合、２個のパターンを利用してＣＳＩ−ＲＳが伝送される。
【００２９】
一方、ミューティングの場合、いつも１個のパターン単位よりなる。すなわち、ミューティングは、複数のパターンに適用されることはできるが、ＣＳＩ−ＲＳと位置が重ならない場合、１個のパターンの一部にのみ適用されることはできない。但し、ＣＳＩ−ＲＳの位置とミューティングの位置が重なる場合に限って、１個 のパターンの一部にのみ適用され得る。
【００３０】
セルラシステムでダウンリンクチャネル状態を測定するために、基地局は、基準信号（ｒｅｆｅｒｅｎｃｅ  ｓｉｇｎａｌ）を伝送しなければならない。ＬＴＥ−Ａシステムの場合、基地局が伝送するＣＲＳまたはＣＳＩ−ＲＳを利用して、端末は、基地局と自分との間のチャネル状態を測定できる。
【００３１】
前記チャネル状態は、基本的に、いくつかの要素が考慮されなければならないし、これには、ダウンリンクでの干渉量が含まれる。前記ダウンリンクでの干渉量は、隣接基地局に属するアンテナによって発生する干渉信号及び熱雑音等が含まれ、端末がダウンリンクのチャネル状況を判断するのに重要である。一例として、送信アンテナが一個である基地局から受信アンテナが一個である端末に伝送する場合、端末は、基地局で受信された基準信号でダウンリンクに受信できるシンボル当たりエネルギーと当該シンボルを受信する区間で同時に受信される干渉量を判断し、ＳＮＩＲ（Ｓｉｇｎａｌ  ｔｏ  Ｎｏｉｓｅ  ｐｌｕｓ  Ｉｎｔｅｒｆｅｒｅｎｃｅ  Ｒａｔｉｏ）を決定しなければならない。前記ＳＮＩＲは、受信信号の電力を干渉と雑音信号の強さで割った値である。一般的に、ＳＮＩＲが高いほど、相対的にさらに良い受信性能と高いデータ伝送速度を得ることができる。決定されたＳＮＩＲ、前記ＳＮＩＲに相当する値または前記ＳＮＩＲで支援できる最大データ伝送速度は、基地局に通知され、前記基地局がダウンリンクで端末にどんなデータ伝送速度で伝送を行うべきかを判断できるようにする。
【００３２】
一般的な移動通信システムの場合、各セルの中間地点に基地局装備が配置され、前記基地局装備は、限定された場所に位置する１個または複数個のアンテナを利用して端末と移動通信を行う。前記のように、１個のセルに属するアンテナが同一の位置に配置された移動通信システムをＣＡＳ（Ｃｅｎｔｒａｌｉｚｅｄ  Ａｎｔｅｎｎａ  Ｓｙｓｔｅｍ）と言う。一方、１個のセルに属するアンテナ（ＲＲＨ：Ｒｅｍｏｔｅ  Ｒａｄｉｏ  Ｈｅａｄ）がセル内の分散した位置に配置された移動通信システムをＤＡＳ（Ｄｉｓｔｒｉｂｕｔｅｄ  Ａｎｔｅｎｎａ  Ｓｙｓｔｅｍ：分散アンテナシステム）と言う。
【００３３】
図３は、一般的な分散アンテナシステムにおいて分散した位置でアンテナの配置を例示する図である。
【００３４】
図３は、２個のセル３００、３１０よりなる分散アンテナシステムを例示している。
【００３５】
例えば、セル３００の場合、１個の高出力アンテナ３２０と４個の低出力アンテナ（例えば、３４０）を含むことができる。前記高出力アンテナ３２０は、セル領域（ｃｏｖｅｒａｇｅ）に含まれる全域に最小限のサービスを提供できるようにし、前記低出力アンテナ３４０は、セル内の制限された領域で制限された端末に高いデータ速度を基盤とするサービスを提供できる。また、低出力アンテナ３４０及び高出力アンテナは、いずれも、中央制御機に連結３３０され、中央制御機のスケジューリング及び無線資源割り当てによって動作し得る。前記分散アンテナシステムにおいて１個の地理的に分離したアンテナ位置には、１個または複数個のアンテナが配置され得る。分散アンテナシステムにおいて同一の位置に配置されたアンテナまたはアンテナを、本開示ではアンテナグループ（ＲＲＨ  ｇｒｏｕｐ）と言う。
【００３６】
図３のような分散アンテナシステムにおいて、端末は、１個の地理的に分離したアンテナグループで信号を受信する一方で、残りのアンテナグループで伝送される信号は、前記端末に干渉として作用できる。
【００３７】
図４は、分散アンテナシステムで各アンテナグループ別に異なる端末に伝送を行う場合に発生する干渉現象を例示する図である。
【００３８】
図４で、実線の矢印を所望の（または有効な）信号（ｓｉｇｎａｌ）で表示し、点線の矢印を干渉（ｉｎｔｅｒｆｅｒｅｎｃｅ）信号で表現した。ＵＥ１（ＵＥ：Ｕｓｅｒ  Ｅｑｕｉｐｍｅｎｔ）４００は、アンテナグループ４１０でトラフィック信号を受信している。一方、ＵＥ２；４２０は、アンテナグループ４３０で、ＵＥ３；４４０は、アンテナグループ４５０で、ＵＥ４；４６０は、アンテナグループ４７０でトラフィック信号を受信している。ＵＥ１；４００は、アンテナグループ４１０でトラフィック信号を受信すると同時に、他の端末にトラフィック信号を伝送している他のアンテナグループから干渉を受ける。すなわち、アンテナグループ４３０、４５０、４７０で伝送される信号がＵＥ１；４００に干渉効果を発生させる。
【００３９】
分散アンテナシステムで他のアンテナグループによる干渉発生には、二つの種類、すなわちセル間干渉（Ｉｎｔｅｒ−ｃｅｌｌ  ｉｎｔｅｒｆｅｒｅｎｃｅ）とセル内干渉（Ｉｎｔｒａ−ｃｅｌｌ  ｉｎｔｅｒｆｅｒｅｎｃｅ）があり得る。セル間干渉は、他のセルのアンテナグループで発生する干渉を言い、セル内干渉は、同一のセルの（他の）アンテナグループで発生する干渉を言う。
【００４０】
図４のＵＥ１；４００が経験するセル内干渉としては、同一のセル（すなわち、セル１）に属するアンテナグループ４３０で発生する干渉があり、セル間干渉としては、隣接セル（すなわち、セル２）のアンテナグループ４５０及び４７０で発生する干渉があり得る。前記セル間干渉とセル内干渉は、端末に同時に受信され、端末のデータチャネル受信を妨害する。
【００４１】
一般的に、端末が無線信号を受信する場合、所望の（ｄｅｓｉｒｅｄ）信号が雑音及び干渉と共に受信される。すなわち受信信号を数式で表現すれば、次の通りである。
【００４２】
【数１】
0006775490.tif 000002
【００４３】
ここで、「ｒ」は、受信信号、「ｓ」は、送信信号、「ｎｏｉｓｅ」は、ガウシアン分布を有する雑音、「ｉｎｔｅｒｆｅｒｅｎｃｅ」は、無線通信で発生する干渉信号である。
【００４４】
前記干渉信号は、隣接伝送地点（例えば、隣接セル）でも発生し得、同一の伝送地点（例えば、サービングセル）でも発生し得る。隣接伝送地点での干渉は、隣接セルまたは分散アンテナシステムでの隣接アンテナの伝送する信号が、所望の信号に干渉として作用することを言う。同一の伝送地点での干渉は、１個の伝送地点で複数個のアンテナを利用してＭＵ−ＭＩＭＯ伝送を行う場合、異なるユーザのための信号が相互干渉を発生させる場合を言う。
【００４５】
干渉のサイズによってＳＮＩＲの値が変わり、結果的に、受信性能に影響を与えることができる。一般的に、干渉は、セルラ移動通信システムでシステム性能を阻害する最大の要素であり、干渉をどのように適切に制御するかがシステム性能を決定する。
【００４６】
ＬＴＥ／ＬＴＥ−Ａでは、干渉が発生する状況で受信性能を高めることができる方法として、ＮＡＩＣＳ（Ｎｅｔｗｏｒｋ  ＡｓｓｉｓｔｅｄＩ  ｎｔｅｒｆｅｒｅｎｃｅ  Ｃａｎｃｅｌｌａｔｉｏｎ  ａｎｄ  Ｓｕｐｐｒｅｓｓｉｏｎ；ネットワーク支援干渉除去及び抑制）技術を支援するための各種標準技術の導入を考慮している。ＮＡＩＣＳ技術は、基地局が干渉信号と関連した情報をネットワークを介して当該端末に伝達し、前記端末が前記伝達された情報を利用して干渉信号の特性を考慮して受信信号を復旧する技術である。一例として、端末が干渉信号に対する変調方式と受信強さを把握する場合、端末は、干渉信号を除去するか、干渉信号を考慮して受信信号を復旧することによって、受信性能を向上させることができる。
【００４７】
無線通信システムで送受信過程でのエラーを訂正するために、エラー訂正符号化を行う。ＬＴＥ／ＬＴＥ−Ａシステムには、コンボルーションコード（ｃｏｎｖｏｌｕｔｉｏｎ  ｃｏｄｅ）及びターボコード（ｔｕｒｂｏ  ｃｏｄｅ）等をエラー訂正符号化に利用する。このようなエラー訂正符号化の復号化性能を高めるために、受信機では、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのように変調された変調シンボルを復調するとき、硬判定（ｈａｒｄ  ｄｅｃｉｓｉｏｎ）ではなく、軟判定（ｓｏｆｔ  ｄｅｃｉｓｉｏｎ）を利用する。送信端で「＋１」または「−１」を伝送する場合、硬判定を適用した受信機は、受信信号に対して「＋１」または「−１」のうち一つを選択してこれを出力する。一方、軟判定を適用した受信機は、受信信号に対して「＋１」または「−１」のうちいずれかが受信されたかに対する情報と当該判定の信頼度を一緒に出力する。このような信頼度情報は、復号化過程で復号化性能を改善させるのに活用され得る。軟判定を適用する受信機で出力値を算出するのに一般的に利用されることは、ＬＬＲ（Ｌｏｇ  Ｌｉｋｅｌｉｈｏｏｄ  Ｒａｔｉｏ）である。前記送信信号が「＋１」または「−１」のうち一つであるＢＰＳＫ（Ｂｉｎａｒｙ  Ｐｈａｓｅ  Ｓｈｉｆｔ  Ｋｅｙｉｎｇ）変調方式が適用された場合、ＬＬＲは、次のように定義される。
【００４８】
【数２】
0006775490.tif 000003
【００４９】
前記数式２で、「ｒ」は、受信信号であり、「ｓ」は、送信信号である。また、条件付き確率密度関数
【００５０】
【数３】
0006775490.tif 000004
【００５１】
は、送信信号として「＋１」が伝送されたという条件の下に、受信信号の確率密度関数である。同様に、条件付き確率密度関数
【００５２】
【数４】
0006775490.tif 000005
【００５３】
は、送信信号として「−１」が伝送されたという条件の下に、受信信号の確率密度関数である。ＱＰＳＫ、１６ＱＡＭ、６４ＱＡＭのような変調方式の場合も、類似の方法でＬＬＲを数式で表現できる。前記条件付き確率密度関数は、干渉が存在しない状況ではガウシアン分布を有する。
【００５４】
図５は、条件付き確率密度関数の一例を図式化した図である。
【００５５】
図５で、参照番号５００で指示されたグラフは、条件付き確率密度関数
【００５６】
【数５】
0006775490.tif 000006
【００５７】
であり、参照番号５１０で指示されたグラフは、条件付き確率密度関数
【００５８】
【数６】
0006775490.tif 000007
【００５９】
に該当する。このような条件付き確率密度関数を利用して受信信号値が参照番号５２０が指示する地点と同じ場合、受信機は、ＬＬＲをｌｏｇ（ｆ２／ｆ１）で計算する。図５の条件付き確率密度関数は、雑音及び干渉がガウシアン分布に従う場合を仮定する。
【００６０】
ＬＴＥ／ＬＴＥ−Ａのような移動通信システムでは、一度のＰＤＳＣＨ伝送で基地局が端末に数十ビット以上の情報を伝達できる。基地局は、端末に伝送する情報を符号化した後、前記符号化された情報をＱＰＳＫ、１６ＱＡＭ、６４ＱＡＭのような方式で変調して伝送できる。これにより、ＰＤＳＣＨを受信した端末は、数十個以上の変調シンボルを復調する過程で数十個以上の符号化シンボルに対するＬＬＲを生成し、前記生成されたＬＬＲを復号化器に伝達できる。
【００６１】
雑音は、ガウシアン分布に従うが、干渉は、状況によってガウシアン分布に従わないことがある。干渉がガウシアン分布に従わない代表的な理由は、干渉は、雑音とは異なって、他の受信機のための無線信号であるからである。前記数式１で、「ｉｎｔｅｒｆｅｒｅｎｃｅ」は、他の受信機のための無線信号であるから、ＢＰＳＫ、ＱＰＳＫ、１６ＱＡＭ、６４ＱＡＭのような変調方式が適用されて伝送される。一例として、干渉信号がＢＰＳＫで変調された場合、干渉は、同一の確率で「＋ｋ」または「−ｋ」の値を有する確率分布を有する。前記で「ｋ」は、無線チャネルの信号強さの減殺効果によって決定される値である。
【００６２】
図６は、受信信号がＢＰＳＫ変調方式で伝送される状況で干渉信号もＢＰＳＫ変調方式で伝送されたと仮定する場合、条件付き確率密度関数を示す図である。図６で、雑音は、ガウシアン分布に従うと仮定した。
【００６３】
図６の条件付き確率密度関数は、図５の条件付き確率密度関数と異なることを観察できる。図６で、参照番号６２０で指示されるグラフは、条件付き確率密度関数
【００６４】
【数７】
0006775490.tif 000008
【００６５】
であり、参照番号６３０で指示されるグラフは、条件付き確率密度関数
【００６６】
【数８】
0006775490.tif 000009
【００６７】
に該当する。また、参照番号６１０で指示される区間のサイズは、前記干渉信号の信号強さによって決定されるもので、無線チャネルの影響によって決定される。このような条件付き確率密度関数を利用して受信信号値が参照番号６００が指示する地点と同じ場合、受信機は、ＬＬＲをｌｏｇ（ｆ４／ｆ３）で計算する。この値は、条件付き確率密度関数が異なるため、図５でのＬＬＲ値と異なる値を有する。すなわち、干渉信号の変調方式を考慮したＬＬＲは、干渉がガウシアン分布を仮定して算出したＬＬＲと異なる。
【００６８】
図７は、受信信号がＢＰＳＫ変調方式で伝送される状況で、干渉信号は、１６ＱＡＭ変調方式で伝送されたと仮定する場合、条件付き確率密度関数を示す図である。
【００６９】
図７で、参照番号７００で指示されるグラフは、条件付き確率密度関数
【００７０】
【数９】
0006775490.tif 000010
【００７１】
であり、参照番号７１０で指示されるグラフは、条件付き確率密度関数
【００７２】
【数１０】
0006775490.tif 000011
【００７３】
に該当する。図７は、干渉信号の変調方式が受信信号と異なることによって条件付き確率密度関数が異なるようになり得ることを示す。図６と図７は、いずれも、受信信号は、ＢＰＳＫ変調方式で伝送されたが、図６は、干渉信号がＢＰＳＫ変調方式で伝送された場合に該当し、図７は、干渉信号が１６ＱＡＭ変調方式で伝送された場合に該当する。すなわち、受信信号の変調方式が同一であるとしても、干渉信号の変調方式が何かによって、条件付き確率密度関数が異なり、結果的に、算出されたＬＬＲも異なることができることが分かる。
【００７４】
図５、図６、図７で言及したように、ＬＬＲは、受信機が干渉をどのように仮定して算出するかによって異なる値を有することができる。受信性能を最適化するためには、実際干渉が有する統計的特性を反映した条件付き確率密度関数を利用してＬＬＲを算出するか、干渉を前もって除去した後、ＬＬＲを算出しなければならない。すなわち、干渉がＢＰＳＫ変調方式で伝送された場合には、受信機で干渉がＢＰＳＫ変調方式で伝送されたと仮定し、ＬＬＲを算出するか、ＢＰＳＫで変調された干渉をと除去した後、ＬＬＲを算出しなければならない。もし干渉がＢＰＳＫ変調方式で伝送された場合、干渉除去手続を行わず、単純に受信機で干渉がガウシアン分布を有すると仮定するか、１６ＱＡＭ変調方式で伝送されたと仮定する場合、最適化されないＬＬＲ値を算出し、結果的に、受信性能を最適化しない。
【発明の概要】
【発明が解決しようとする課題】
【００７５】
本発明は、セルラ移動通信システムでダウンリンクを受信する端末の受信性能を向上させるために干渉制御情報を活用する方法及び装置を提供する。本発明は、複数個の仮想セル識別子（ＶＣＩＤ）及びスクラムブリング識別子（ｎＳＣＩＤ）を有する干渉環境で低い複雑度を有する干渉制御及び抑制動作を端末動作方法及び装置を提供する。
【００７６】
本発明で達成しようとする技術的課題は、以上で言及した技術的課題に制限されず、言及しない他の技術的課題は、下記の記載から本発明の属する技術分野における通常の知識を有する者に明確に理解され得る。
【課題を解決するための手段】
【００７７】
本発明の実施例によれば、移動通信システムで端末の干渉除去方法において、少なくとも一つの干渉チャネルに対する伝送パラメータを受信する段階と、前記干渉チャネルに対する伝送モード（ｔｒａｎｓｍｉｓｓｉｏｎ  ｍｏｄｅ、ＴＭ）または可能な伝送モードのうち前記特定ＴＭが支援されるかを判断する段階と、前記干渉チャネルに前記特定ＴＭが支援されれば、前記干渉チャネルの仮想セル識別子（ｖｉｒｔｕａｌ  ｃｅｌｌ  ｉｄｅｎｔｉｆｉｃａｔｉｏｎ、ＶＣＩＤ）及びスクラムブリング識別子（ｓｃｒａｍｂｌｉｎｇ  ｉｄｅｎｔｉｆｉｃａｔｉｏｎ、ＳＣＩＤ）組合候補群に対してブラインド検出（ｂｌｉｎｄ  ｄｅｔｅｃｔｉｏｎ）を行う段階と、前記ブラインド検出結果に基づいて前記端末に対する干渉を除去する段階とを含み、前記特定の伝送モードは、一つの端末が一つ以上の伝送地点からダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信するように設定されたモードであることを特徴とする方法を提供できる。
【００７８】
また、本発明の実施例によれば、移動通信システムで干渉除去のための端末の装置において、少なくとも一つのネットワークノードと通信を行う通信部と、少なくとも一つの干渉チャネルに対する伝送パラメータを受信し、前記干渉チャネルに対する伝送モード（ｔｒａｎｓｍｉｓｓｉｏｎ  ｍｏｄｅ、ＴＭ）または可能な伝送モードのうち前記特定ＴＭが支援されるかを判断し、前記干渉チャネルに前記特定ＴＭが支援されれば、前記干渉チャネルの仮想セル識別子（ｖｉｒｔｕａｌ  ｃｅｌｌ  ｉｄｅｎｔｉｆｉｃａｔｉｏｎ、ＶＣＩＤ）及びスクラムブリング識別子（ｓｃｒａｍｂｌｉｎｇ  ｉｄｅｎｔｉｆｉｃａｔｉｏｎ、ＳＣＩＤ）組合候補群に対してブラインド検出（ｂｌｉｎｄ  ｄｅｔｅｃｔｉｏｎ）を行い、前記ブラインド検出結果に基づいて前記端末に対する干渉を除去するように制御する制御部とを含み、前記特定の伝送モードは、一つの端末が一つ以上の伝送地点からダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信するように設定されたモードであることを特徴とする装置を提供できる。
【発明の効果】
【００７９】
本発明による方法及び装置を利用することによって、干渉制御及び抑制動作を効果的に行うことができる。また、本発明による方法及び装置を利用することによって、複数個の仮想セル識別子及びスクラムブリング識別子を有する干渉環境で端末が干渉制御及び抑制動作を低い複雑度で行うことができる。
【００８０】
本発明で得ることができる効果は、以上で言及した効果に制限されず、言及しない他の効果は、下記の記載から本発明の属する技術分野における通常の知識を有する者に明確に理解され得る。
【図面の簡単な説明】
【００８１】
【図１】ＬＴＥ／ＬＴＥ−Ａシステムで時間及び周波数資源を説明する図である。
【図２】ＬＴＥ／ＬＴＥ−Ａシステムでダウンリンクでスケジューリングし得る最小単位である１サブフレーム及び１ＲＢの無線資源を説明する図である。
【図３】一般的な分散アンテナシステムで分散した位置でアンテナの配置を説明する図である。
【図４】分散アンテナシステムで各アンテナグループ別に異なる端末に伝送を行う場合に発生する干渉現象を説明する図である。
【図５】条件付き確率密度関数の一例を説明する図である。
【図６】条件付き確率密度関数の他の一例を説明する図である。
【図７】条件付き確率密度関数のさらに他の一例を説明する図である。
【図８】ＬＴＥ／ＬＴＥ−Ａシステムで干渉が発生する状況を説明する図である。
【図９】実施例１による端末のダウンリンクデータ受信方法を説明する図である。
【図１０】実施例２によるＴＭ１０伝送モード端末のダウンリンクデータ受信方法を説明する図である。
【図１１】実施例３による端末のダウンリンクデータ受信方法を説明する図である。
【図１２】実施例４によるＴＭ１０伝送モード端末のダウンリンクデータ受信方法を説明する図である。
【図１３】実施例６による端末のダウンリンクデータ受信方法を説明する図である。
【図１４】実施例７によるＴＭ１０伝送モード端末のダウンリンクデータ受信方法を説明する図である。
【図１５】本発明の実施例による干渉除去及び抑制方法を用いて端末受信機の性能改善を支援するための基地局の装置を説明する図である。
【図１６】本発明で提案する干渉除去及び抑制を考慮した端末の装置を説明する図である。
【発明を実施するための形態】
【００８２】
以下、添付の図面を参照して本開示の実施例を詳細に説明する。下記で、本発明を説明するに際して、関連した公知機能または構成に対する具体的な説明が本発明の要旨を不明にできると判断される場合には、その詳細な説明を省略する。また、後述する用語は、本開示での機能を考慮して定義された用語であって、これは、ユーザ、運用者の意図または慣例等によって変わることができる。したがって、その用語は、本明細書全般にわたる内容を基礎にして定義されなければならない。
【００８３】
また、本開示の実施例を具体的に説明するに際して、ＯＦＤＭ基盤の無線通信システム、特に３ＧＰＰ  ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）システム環境を主な対象とするが、本開示の主な要旨は、類似の技術的背景及びチャネル形態を有するそのほかの通信システムにも本発明の範囲を大きく逸脱しない範囲で少しの変形で適用可能であり、これは、本開示の技術分野で熟練された技術的知識を有する者の判断で可能だろう。
【００８４】
本開示の詳しい説明に先立って、本明細書で使用されるいくつかの用語に対して解釈可能な意味の例を提示する。しかし、下記に提示する解釈例に限定されないことに注意しなければならない。
【００８５】
基地局（Ｂａｓｅ  Ｓｔａｔｉｏｎ）は、端末と通信する一つの主体であって、ＢＳ、ＮｏｄｅＢ（ＮＢ）、ｅＮｏｄＢ（ｅＮＢ）、ＡＰ（Ａｃｃｅｓｓ  Ｐｏｉｎｔ）等と指称されることがある。
【００８６】
端末（Ｕｓｅｒ  Ｅｑｕｉｐｍｅｎｔ）は、基地局と通信する一つの主体であって、ＵＥ、移動局（Ｍｏｂｉｌｅ  Ｓｔａｔｉｏｎ；ＭＳ）、移動装備（Ｍｏｂｉｌｅ  Ｅｑｕｉｐｍｅｎｔ；ＭＥ）、デバイス（ｄｅｖｉｃｅ）、ターミナル（ｔｅｒｍｉｎａｌ）等と指称されることがある。
【００８７】
以下、本発明の実施例を添付の図面と共に詳しく説明する。また、本発明を説明するに際して、関連した公知機能あるいは構成に対する具体的な説明が本発明の要旨を不明にできると判断された場合、その詳細な説明を省略する。また、後述する用語は、本開示での機能を考慮して定義された用語であって、これは、ユーザ、運用者の意図または慣例等によって変わることができる。したがって、その用語は、本明細書全般にわたる内容を基礎にして定義されなければならない。以下、基地局は、端末の資源割り当てを行う主体であって、ｅＮｏｄｅＢ、ｅＮＢ、ＮｏｄｅＢ、ＢＳ（Ｂａｓｅ  Ｓｔａｔｉｏｎ）、無線接続ユニット、基地局制御機、またはネットワーク上のノードのうち少なくとも一つであることができる。
【００８８】
端末は、ＵＥ（Ｕｓｅｒ  Ｅｑｕｉｐｍｅｎｔ）、ＭＳ（Ｍｏｂｉｌｅ  Ｓｔａｔｉｏｎ）、セルラーフォン、スマートフォン、コンピュータ、または通信機能を行うことができるマルチメディアシステムを含むことができる。また、本発明は、Ｅ−ＵＴＲＡ（あるいはＬＴＥと称する）あるいはＡｄｖａｎｃｅｄ  Ｅ−ＵＴＲＡ（あるいはＬＴＥ−Ａと称する）システムを一例として具体的な実施例を説明するが、類似の技術的背景及び／またはチャネル形態を有するその他の通信システムにも本発明の実施例が適用され得る。また、本発明の実施例は、熟練された技術的知識を有する者の判断として本発明の範囲を大きく逸脱しない範囲で一部の変形を通じて他の通信システムにも適用され得る。
【００８９】
ＬＴＥ／ＬＴＥ−Ａシステムでは、このような干渉を除去するか、抑制し、端末の受信性能を高めることができる方法であるＮＡＩＣＳ（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）技術を支援するための方法を考慮している。ＮＡＩＣＳ技術は、基地局が干渉信号と関連した情報を、ネットワークを介して当該端末に伝達することによって、端末が干渉信号の特性を考慮して所望の信号を一層正確に受信できる技術である。例えば、端末が干渉信号に対する変調方式または受信信号の強さを把握する場合、端末は、干渉信号を除去するか、干渉信号を考慮して受信信号を復旧することによって、受信性能を向上させることができる。
【００９０】
これを図８を利用して説明すれば、次の通りである。図８は、ＬＴＥ／ＬＴＥ−Ａシステムで干渉が発生する状況を説明する図である。
【００９１】
図８を参照すれば、端末は、８００の無線信号を受信しようとする。この際、他の端末のために伝送された干渉信号８１０が端末に干渉を発生させることができる。図８では、端末が受信しようとする信号と干渉信号がＮ個のＲＢ（ｒｅｓｏｕｒｃｅ  ｂｌｏｃｋ）に伝送されたと仮定した。
【００９２】
図８で、端末が受信しようとする信号を検出する過程で受信性能を高めるためには、８１０の干渉信号を除去した後、ＬＬＲを算出するか、干渉信号８１０の統計的特性が反映された条件付き確率密度関数を正確に計算した後、ＬＬＲを算出しなければならない。端末は、少なくとも干渉信号の変調方式と干渉信号の受信強さを把握しなければならない。ＬＴＥ／ＬＴＥ−Ａシステムの場合、端末が前記干渉信号の変調方式と干渉信号の受信強さを確認するために、前記端末が表１のような干渉に対する伝送パラメータのうち少なくとも一つを把握しなければならない。しかし、これに限定せず、前記端末は、表１のような干渉に対する伝送パラメータのみならず、追加的なパラメータを利用して干渉信号に対する情報を得ることができる。例えば、端末は、干渉に対するＣＲＳとＣＳＩ−ＲＳとのＱＣＬ（Ｑｕａｓｉ−ｃｏ−ｌｏｃａｔｉｏｎ）情報が与えられれば、これを利用して当該信号に対するチャネル情報を得ることができる。
【００９３】
【表１】
0006775490.tif 000012
【００９４】
ＬＴＥ／ＬＴＥ−Ａシステムで前記干渉に対する伝送パラメータのうち干渉ＰＤＳＣＨの伝送モード（ＴＭ：ｔｒａｎｓｍｉｓｓｉｏｎ  ｍｏｄｅ）で可能な値は、ＴＭ１からＴＭ１０までである。各伝送モードのＰＤＳＣＨ伝送方法は、３ＧＰＰ  ＴＳ（Ｔｅｃｈｎｉｃａｌ  Ｓｐｅｃｉｆｉｃａｔｉｏｎ）３６．２１３に詳しく記載されているので、ここでは、詳しい説明を省略する。
【００９５】
前記干渉に対する伝送パラメータのうち一部は、別途のシグナリングを通じて基地局から端末に伝達され得、他の一部は、端末がブラインド感知（ｂｌｉｎｄ  ｄｅｔｅｃｔｉｏｎ）方法を使用して直接検出することもできる。また、特定の伝送パラメータに対して、基地局は、端末に当該パラメータが有することができる可能な値の候補集合をシグナリングすると、端末は、伝達された可能なパラメータ値の候補のうちｂｌｉｎｄ  ｄｅｔｅｃｔｉｏｎを使用して干渉信号の当該伝送パラメータ値を検出することもできる。
【００９６】
干渉信号の変調次数、及びＰＭＩ情報に対するｂｌｉｎｄ  ｄｅｔｅｃｔｉｏｎ過程を説明すれば、次の通りである。前記干渉に対する伝送パラメータのうち一部（例えば干渉セルのＤＭＲＳ情報、干渉セルのネットワーク配置（ｄｅｐｌｏｙｍｅｎｔ）情報、制御チャネル（ＰＤＣＣＨ）伝送領域情報等）は、上位シグナリングを通じて基地局が端末に通知したか、または端末がｂｌｉｎｄ  ｄｅｔｅｃｔｉｏｎを通じてあらかじめ把握していたと仮定する。この際、干渉ＰＤＳＣＨの伝送モードがＤＭＲＳを基盤として動作するＴＭ（ｔｒａｎｓｍｉｓｓｉｏｎ  ｍｏｄｅ）のうち一部が可能であると確認される場合、端末の干渉信号に対する変調次数／ＲＩ／ＰＭＩのｂｌｉｎｄ  ｄｅｔｅｃｔｉｏｎを行う方法を説明するために、端末の受信信号を次の数式３のように表現できる。
【００９７】
【数１１】
0006775490.tif 000013
【００９８】
前記数式３で、
【００９９】
【数１２】
0006775490.tif 000014
【０１００】
は、ｋ番目のＲＥで端末が接続した基地局から端末へのチャネルを示し、
【０１０１】
【数１３】
0006775490.tif 000015
【０１０２】
は、端末に伝送される伝送信号ベクトルを示す。また、
【０１０３】
【数１４】
0006775490.tif 000016
【０１０４】
は、ｋ番目のＲＥで干渉信号が伝送されるチャネルを示し、
【０１０５】
【数１５】
0006775490.tif 000017
【０１０６】
は、干渉信号を示し、ｗは、
【０１０７】
【数１６】
0006775490.tif 000018
【０１０８】
の分散を有するガウシアンノイズを示す。それでは、端末の干渉信号に対する変調次数／ＰＭＩのｂｌｉｎｄ  ｄｅｔｅｃｔｉｏｎを行う方法中の一つであるＡＭＬ（ａｐｐｒｏｘｉｍａｔｅｄ  ｍａｘｉｍｕｍ  ｌｉｋｅｌｉｈｏｏｄ）検出方法は、次の数式４で表現される。
【０１０９】
【数１７】
0006775490.tif 000019
【０１１０】
前記数式４で、
【０１１１】
【数１８】
0006775490.tif 000020
【０１１２】
は、干渉信号が伝送されるチャネルを推定した行列値であり、干渉セルに対するＤＭＲＳ及び可能なプリコーディング（ｐｒｅｃｏｄｉｎｇ）行列を通じて推定され得る。
【０１１３】
【数１９】
0006775490.tif 000021
【０１１４】
は、当該ランク（ｒａｎｋ）値に対して可能なｐｒｅｃｏｄｉｎｇ行列を示す。ここで、干渉信号に適用が可能な伝送ｒａｎｋ及びこれに対する可能なｐｒｅｃｏｄｉｎｇ行列は、ＤＭＲＳポートに対してＬＴＥ／ＬＴＥ−Ａに定義された可能なすべてのｒａｎｋ及びｐｒｅｃｏｄｉｎｇ行列が考慮されることもできる。すなわち、端末は、干渉に対するＤＭＲＳ信号を構成するのに使用するセルＩＤ（ＣＩＤ）または仮想セルＩＤ（ＶＣＩＤ）及びスクラムブリングＩＤ（ＳＣＩＤ）及びｐｒｅｃｏｄｉｎｇ行列を利用して干渉ＤＭＲＳ信号を生成し、これを利用して各ＤＭＲＳポート（例えばＰｏｒｔ７、Ｐｏｒｔ８、Ｐｏｒｔ７〜８等）に対して数式４のようなＡＭＬ検出方式を通じて干渉信号の変調次数を検出できる。また、各ＤＭＲＳポートの検出を通じて干渉信号のｒａｎｋ値を検出できる。
【０１１５】
追加に、数式４で、Ｓｎは、変調次数ｎに対する信号星座（ｓｉｇｎａｌ  ｃｏｎｓｔｅｌｌａｔｉｏｎ）を示し、ＬＴＥ／ＬＴＥ−Ａの場合、ｎ＝２、４、６（ｏｒ  ８）が可能であり、各々に対してＱＰＳＫ、１６ＱＡＭ、６４ＱＡＭ、（ｏｒ  ２５６ＱＡＭ）が適用される。また、
【０１１６】
【数２０】
0006775490.tif 000022
【０１１７】
は、信号星座内の元素個数を示し、前記それぞれのｎ値に対して２ｎで計算される。また、
【０１１８】
【数２１】
0006775490.tif 000023
【０１１９】
は、与えられたｒａｎｋ、ｐｒｅｃｏｄｉｎｇ行列に対して与えられた信号星座内の元素のうち受信ベクトルから最小のユークリッド（Ｕｃｌｉｄｅａｎ）距離を有するシンボルを示し、次の数式５で示すことができる。
【０１２０】
【数２２】
0006775490.tif 000024
【０１２１】
最終的に、数式４内のＮＲＥ及びｂｌｉｎｄ  ｄｅｔｅｃｔｉｏｎに使用するＲＥ（ｒｅｓｏｕｒｃｅ  ｅｌｅｍｅｎｔ）サンプルの集合を決定すると、端末は、ＡＭＬ方式を用いた変調次数／ＰＭＩのｂｌｉｎｄ  ｄｅｔｅｃｔｉｏｎを行うことができる。端末が変調次数／ＰＭＩのｂｌｉｎｄ  ｄｅｔｅｃｔｉｏｎのために使用するＲＥサンプルの集合は、いずれも、同じ変調次数／ＰＭＩを適用してなければならないし、同じ電力レベルを有しなければならない。したがって、端末は、干渉ＰＤＳＣＨスケジューリングの基本単位、例えば一つのＲＢ（ｒｅｓｏｕｒｃｅ  ｂｌｏｃｋ）内でＣＲＳ、ＤＭＲＳ、ＰＤＳＣＨ、制御チャネル、ＣＳＩ−ＲＳ及びｍｕｔｉｎｇ等を除いた純粋ＰＤＳＣＨ  ＲＥのみを使用してｂｌｉｎｄ  ｄｅｔｅｃｔｉｏｎを行わなければならない。ここで、前記数式４及び数式５のような干渉信号検出方法は、一つの一例に過ぎず、これと類似の特性を有する検出方法を利用して干渉信号を検出できる。
【０１２２】
＜実施例１＞
本実施例１では、干渉ダウンリンク共有チャネル（ｐｈｙｓｉｃａｌ ｄｏｗｎｌｉｎｋｓｈａｒｅｄ ｃｈａｎｎｅｌ、ＰＤＳＣＨ）に対する伝送モードがＴＭ１０であるか、干渉ＰＤＳＣＨに対する可能な伝送モード候補のうちＴＭ１０が含まれているとき、端末での干渉の追加伝送パラメータに対するブラインド検出（ｂｌｉｎｄ  ｄｅｔｅｃｔｉｏｎ）動作を説明する。本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０１２３】
伝送モードＴＭ１０は、一つの端末が一つ以上の伝送地点（ＴＰ：ｔｒａｎｓｍｉｓｓｉｏｎ  ｐｏｉｎｔ）から所望の信号（ＰＤＳＣＨ）を伝達され得るように設定された伝送モードである。ＴＭ１０は、協力伝送（ＣｏＭＰ）を支援する伝送モードである。この際、特定時間で端末は一つの伝送地点から信号を伝達され得、時間によって前記端末にＰＤＳＣＨを伝送する伝送地点は変わることができる。この際、基地局は、端末に制御チャネルを利用してＰＤＳＣＨを伝送する伝送地点に対する情報を通知できる。前記のような動作を効率的に行うために、ＬＴＥ／ＬＴＥ−Ａシステムでは、物理セルＩＤ（またはＰＣＩＤ）とは別に仮想セルＩＤ（またはＶＣＩＤ）及びスクラムブリングＩＤ（またはｎＳＣＩＤ）を設定し、伝送地点を区分できる。言い換えれば、伝送モードＴＭ１０に設定された端末は、基地局からＰＤＳＣＨを伝送する２個の伝送地点に対する仮想セルＩＤ及びスクラムブリングＩＤを割り当てられることができる。例えば、前記端末は、ＶＣＩＤ３−０及びＶＣＩＤ２−１で伝送地点に対する仮想セルＩＤ及びスクラムブリングＩＤを割り当てられることができる。その後、基地局は、端末に制御チャネル、例えばＤＣＩ（ｄｏｗｎｌｉｎｋ  ｃｏｎｔｒｏｌ  ｉｎｆｏｒｍａｔｉｏｎ）ｆｏｒｍａｔ  ２ＤのｎＳＣＩＤを表現するビットを利用して端末にＰＤＳＣＨを伝送する伝送地点を通知できる。すなわち、ｎＳＣＩＤを０に設定すれば、端末は、ＶＣＩＤ３−０を伝送地点に設定できる。
【０１２４】
したがって、もし干渉の伝送モードがＴＭ１０であるか、干渉の可能な伝送モード候補集合のうちＴＭ１０が含まれている場合、端末は、基地局から前記干渉に対する複数個の仮想セルＩＤ及びスクラムブリングＩＤに関する情報を上位シグナリングを通じて伝達され得る。干渉に対する複数個の仮想セルＩＤ及びスクラムブリングＩＤに関する情報を伝達された端末のｂｌｉｎｄ  ｄｅｔｅｃｔｉｏｎ動作を説明すれば、次の通りである。
【０１２５】
例えば、端末が基地局から干渉制御及び抑制動作のために、ＶＣＩＤ１−０、ＶＣＩＤ２−１、ＶＣＩＤ３−０、ＶＣＩＤ４−１、ＶＣＩＤ５−０、ＶＣＩＤ６−１のように表現された干渉に対する仮想セルＩＤ及びスクラムブリングＩＤを伝達され得る。ここで、ＶＣＩＤ１−０は、仮想セルＩＤ１とスクラムブリングＩＤ０の組合を意味する。この際、前記端末は、各仮想セルＩＤ及びスクラムブリングＩＤで構成される干渉信号に対するＤＭＲＳ情報を利用して干渉に対する追加パラメータをｂｌｉｎｄ  ｄｅｔｅｃｔｉｏｎできる。追加パラメータは、干渉チャネルに対する変調次数に対する情報であることができる。
【０１２６】
前記動作を図９を利用して説明すれば、次の通りである。
【０１２７】
図９は、実施例１による端末のダウンリンクデータ受信方法を説明する図である。
【０１２８】
図９を参照すれば、端末は、段階９００で、基地局から上位シグナリングを通じて干渉に対する伝送パラメータを伝達され得る。例えば、端末は、段階９００で、前記表１のような干渉の伝送パラメータの一部に対して伝達され得る。本実施例では、干渉に対する可能な伝送モードは、ＤＭＲＳ基盤で動作する伝送モードで構成されていると仮定する。したがって、段階９００で、端末は、干渉に対する物理セルＩＤ、仮想セルＩＤ及びスクラムブリングＩＤのうち一部を伝達され得る。
【０１２９】
端末は、上位シグナリングを通じて受信したパラメータに基づいて、干渉に対する可能な伝送モードにＴＭ１０が含まれているか否かを判断できる（段階９１０ ）。もし、段階９１０で、段階９００で確認した干渉に対する可能な伝送モードにＴＭ１０が含まれていると判断されれば、端末は、段階９２０で、段階９００で伝達された仮想セルＩＤ及びスクラムブリングＩＤに対する干渉の伝送パラメータに対する追加検出動作を行う。追加検出される伝送パラメータは、干渉ＰＤＳＣＨ関連動的（ｄｙｎａｍｉｃ）伝送情報であることができる。前記追加検出される伝送パラメータは、前記端末に最も高い干渉を与える干渉セルの動的伝送情報であることができる。例えば、前記干渉ＰＤＳＣＨ関連動的伝送情報は、変調次数（ｍｏｄｕｌａｔｉｏｎ  ｏｒｄｅｒ）、ＲＩ（ｒａｎｋ  ｉｎｄｉｃａｔｏｒ）、ＰＭＩ（ｐｒｅｃｏｄｉｎｇ  ｍａｔｒｉｘ  ｉｎｄｉｃａｔｏｒ）のうち少なくとも一つを含むことができる。但し、前記ＰＤＳＣＨ関連動的情報をこれに限定するものではない。前記ＰＤＳＣＨ関連動的情報は、干渉の追加伝送パラメータと命名できる。
【０１３０】
もし、段階９１０で、干渉に対する可能な伝送モードにＴＭ１０が含まれていないと判断されれば、端末は、段階９３０で、干渉の伝送パラメータに対する追加検出動作を行うことができる。段階９３０で、端末は、干渉のＰＣＩＤ（ｐｈｙｓｉｃａｌ  ｃｅｌｌ  ＩＤ）及びｎＳＣＩＤ組合に対して干渉の伝送パラメータを追加に検出できる。
【０１３１】
より具体的に段階９２０を説明すれば、次の通りである。
【０１３２】
もし、干渉の可能な伝送モードにＴＭ１０が含まれている場合、端末は、段階９００で干渉に対する仮想セルＩＤ及びスクラムブリングＩＤを伝達され得る。この際、伝達された前記仮想セルＩＤ及びスクラムブリングＩＤを通じて、端末は、干渉に対するＤＭＲＳ数列（Ｃｉｎｉｔ）を数式６のように生成できる。
【０１３３】
【数２３】
0006775490.tif 000025
【０１３４】
ここで、
【０１３５】
【数２４】
0006775490.tif 000026
【０１３６】
は、仮想セルＩＤを示し、上位階層シグナリングで端末に提供され得る。ここで、
【０１３７】
【数２５】
0006775490.tif 000027
【０１３８】
は、ｓｌｏｔ番号、また、
【０１３９】
【数２６】
0006775490.tif 000028
【０１４０】
は、スクラムブリングＩＤを示し、
【０１４１】
【数２７】
0006775490.tif 000029
【０１４２】
は、０または１の値を有することができる。したがって、端末は、数式６で獲得されたＤＭＲＳ数列（Ｃｉｎｉｔ）を利用して干渉に対するチャネルを推定できる。
【０１４３】
端末は、ＤＭＲＳ位置に受信された信号でｐ＝７またはｐ＝８に該当するアンテナポートの受信信号を検出できる。ｐ＝７またはｐ＝８のアンテナポートでＤＭＲＳ位置に該当するＲＥの受信信号は、数式５のように表現できる。
【０１４４】
【数２８】
0006775490.tif 000030
【０１４５】
ここで、Ｘｓ及びＸｌは、それぞれ前記端末に伝送されたＤＭＲＳ及び干渉ＤＭＲＳを示す対角行列であり、ｈｓ及びｈｌは、それぞれ前記端末に伝送された信号のチャネル成分及び主な干渉信号のチャネル成分を示すベクトルである。また、ｎは、前記端末の受信雑音と残りの干渉信号の成分であって、独立的なガウシアン分布を有する確率変数でモデリングできる。この際、前記端末は、所望の信号に対する伝送パラメータは、サービングセルから伝達され、前記所望の信号と関連した情報（Ｘｓ及びｈｓ）の推定が可能である。したがって、前記端末が受信信号から前記端末に伝送された信号（すなわち、所望の信号）を除去できる場合、前記数式７は、数式８に変形され得る。
【０１４６】
【数２９】
0006775490.tif 000031
【０１４７】
端末は、前記数式８のように、干渉信号のＤＭＲＳ検出を行うことができる。言い換えれば、前記端末は、９００段階で獲得したスロット番号、スクラムブリングＩＤ、仮想セルＩＤを通じて干渉信号のＤＭＲＳ数列（Ｃｉｎｉｔ）を生成し、ＸＩを計算でき、生成された干渉信号のＤＭＲＳ数列を利用して干渉信号に対するチャネル（ｈＩ）に対して推定を行うことができる。この際、最小自乗法（ＬＳ、Ｌｅａｓｔ  Ｓｑｕａｒｅ）や最小平均二乗誤差（ＭＭＳＥ、Ｍｉｎｉｍｕｍ  Ｍｅａｎ  Ｓｑｕａｒｅ  Ｅｒｒｏｒ）のようなチャネル推定方法が適用され得る。
【０１４８】
したがって、前記端末は、段階９２０で、干渉の仮想セルＩＤ及びスクラムブリングＩＤ組合に対して干渉に対するチャネルを推定し、前記数式４のようにブラインド感知（ｂｌｉｎｄ  ｄｅｔｅｃｔｉｏｎ）動作を行い、干渉の追加伝送パラメータを獲得できる。
【０１４９】
段階９２０をより具体的に説明すれば、次の通りである。前記一例のように、段階９００で、端末は、ＶＣＩＤ１−０、ＶＣＩＤ２−１、ＶＣＩＤ３−０、ＶＣＩＤ４−１、ＶＣＩＤ５−０、ＶＣＩＤ６−１のように表現される６個の仮想セルＩＤ及びスクラムブリングＩＤ組合等を伝達され得る。これを干渉チャネルに対する組合候補群と命名できる。ここで、ＶＣＩＤ１−０は、仮想セルＩＤ１とスクラムブリングＩＤ０を意味する。その後、端末は、各仮想セルＩＤ及びスクラムブリングＩＤ組合に対するＤＭＲＳ順列を生成し、これを利用して前記干渉チャネルを推定できる。
【０１５０】
すなわち、前記のように６個の仮想セルＩＤ及びスクラムブリングＩＤ組合を伝達された端末が、干渉に対する変調次数（ＱＰＳＫ、１６ＱＡＭ、６４ＱＡＭ）をｂｌｉｎｄ  ｄｅｔｅｃｔｉｏｎする場合、端末は、Ｒａｎｋ１及びＤＭＲＳポート７を仮定し、変調次数各々に対してＶＣＩＤ１−０、ＶＣＩＤ２−１、ＶＣＩＤ３−０、ＶＣＩＤ４−１、ＶＣＩＤ５−０、ＶＣＩＤ６−１に対して、数式４のようなｂｌｉｎｄ  ｄｅｔｅｃｔｉｏｎ動作を行う。また、端末は、ｒａｎｋ１及びＤＭＲＳポート８を仮定し、変調次数各々に対してＶＣＩＤ１−０、ＶＣＩＤ２−１、ＶＣＩＤ３−０、ＶＣＩＤ４−１、ＶＣＩＤ５−０、ＶＣＩＤ６−１に対するｂｌｉｎｄ  ｄｅｔｅｃｔｉｏｎ動作を行う。この際、端末は、ｒａｎｋ２及びＤＭＲＳポート７−８を仮定し、変調次数各々に対してＶＣＩＤ１−０、ＶＣＩＤ２−１、ＶＣＩＤ３−０、ＶＣＩＤ４−１、ＶＣＩＤ５−０、ＶＣＩＤ６−に対するｂｌｉｎｄ  ｄｅｔｅｃｔｉｏｎ動作を行う。この際、端末は、干渉がない環境を仮定し、ｂｌｉｎｄ  ｄｅｔｅｃｔｉｏｎ動作を行うこともできる。この際、端末は、ｂｌｉｎｄ  ｄｅｔｅｃｔｉｏｎを行うときに獲得した結果値を利用して前記端末に最も高い干渉を与える仮想セルＩＤ及びスクラムブリングＩＤ、そして前記干渉の変調次数を確認できる。
【０１５１】
その後、前記端末は、段階９４０でｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出し、段階９５０で、ＰＤＳＣＨ復号を行う。
【０１５２】
もし、段階９１０で、干渉の可能な伝送モードにＴＭ１０が含まれていない場合、数式９のように、物理セルＩＤを利用して干渉に対するＤＭＲＳ数列を生成できる。物理セルＩＤを利用した干渉に対するＤＲＭＳ授与を生成は、数式９を参照する。その後、端末は、前記９２０段階で言及した方式と同様に、前記干渉に対するチャネルを推定し、干渉の伝送パラメータを追加に検出できる。
【０１５３】
【数３０】
0006775490.tif 000032
【０１５４】
ここで、
【０１５５】
【数３１】
0006775490.tif 000033
【０１５６】
は、物理セルＩＤを示し、上位階層シグナリングで端末に提供され得る。より詳細なＤＭＲＳ数列生成は、３ＧＰＰ  ＴＳ３６．２１１規格を参考できる。
【０１５７】
＜実施例２＞
本実施例２では、伝送モードＴＭ１０に設定された端末で、干渉ＰＤＳＣＨに対する伝送モードがＴＭ１０であるか、干渉ＰＤＳＣＨに対する可能な伝送モード候補のうちＴＭ１０が含まれているとき、端末での干渉の追加伝送パラメータに対するｂｌｉｎｄ  ｄｅｔｅｃｔｉｏｎ動作を説明する。第１実施例は、干渉チャネルに対する伝送モードがＴＭ１０の場合である一方で、第２実施例では、干渉チャネルのみならず、端末の伝送モードがＴＭ１０に設定された場合の動作である。本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０１５８】
伝送モードＴＭ１０は、一つの端末が一つ以上の伝送地点（ＴＰ：ｔｒａｎｓｍｉｓｓｉｏｎ  ｐｏｉｎｔ）から所望の信号（ＰＤＳＣＨ）を伝達され得るように設定された伝送モードである。この際、特定時間で端末は一つの伝送地点から信号を伝達され得、時間によって前記端末にＰＤＳＣＨを伝送する伝送地点は変わることができる。この際、基地局は、端末に制御チャネルを利用してＰＤＳＣＨを伝送する伝送地点に対する情報を通知できる。前記のような動作を効率的に行うために、ＬＴＥ／ＬＴＥ−Ａシステムでは、物理セルＩＤ（またはＰＣＩＤ）と別に仮想セルＩＤ（またはＶＣＩＤ）及びスクラムブリングＩＤ（またはｎＳＣＩＤ）を設定し、伝送地点を区分できる。言い換えれば、伝送モードＴＭ１０に設定された端末は、基地局からＰＤＳＣＨを伝送する伝送地点２個に対する仮想セルＩＤ及びスクラムブリングＩＤを割り当てられることができる。例えば、前記端末は、ＶＣＩＤ３−０及びＶＣＩＤ２−１で伝送地点に対する仮想セルＩＤ及びスクラムブリングＩＤを割り当てられることができる。その後、基地局は、端末に制御チャネル、例えばＤＣＩ（ｄｏｗｎｌｉｎｋ  ｃｏｎｔｒｏｌ  ｉｎｆｏｒｍａｔｉｏｎ）ｆｏｒｍａｔ  ２ＤのｎＳＣＩＤビットを利用して端末にＰＤＳＣＨを伝送する伝送地点を通知できる。すなわち、ｎＳＣＩＤを０に設定すれば、端末は、ＶＣＩＤ３を伝送地点に設定できる。
【０１５９】
したがって、伝送モードＴＭ１０に設定された端末で、もし干渉の伝送モードがＴＭ１０であるか、干渉の可能な伝送モード候補集合のうちＴＭ１０が含まれている場合、端末は、基地局から前記干渉に対する複数個の仮想セルＩＤ及びスクラムブリングＩＤに関する情報を追加に上位シグナリングを通じて伝達され得る。伝送モードＴＭ１０に設定された端末で、干渉に対する複数個の仮想セルＩＤ及びスクラムブリングＩＤに関する情報を伝達された端末のｂｌｉｎｄ  ｄｅｔｅｃｔｉｏｎ動作を説明すれば、次の通りである。
【０１６０】
例えば、伝送モードＴＭ１０に設定された端末がＴＭ１０動作のために基地局からＶＣＩＤ３−０及びＶＣＩＤ２−１を設定され得る。また、端末は、基地局から干渉制御及び抑制動作のためにＶＣＩＤ１−０、ＶＣＩＤ４−１、ＶＣＩＤ５−０、ＶＣＩＤ６−１のように表現された干渉に対する仮想セルＩＤ及びスクラムブリングＩＤ組合を追加に伝達され得る。ここで、ＶＣＩＤ１−０は、仮想セルＩＤ１とスクラムブリングＩＤ０の組合を意味する。その後、基地局は、制御チャネルを利用して前記端末に伝送地点を設定できる。したがって、端末は、仮想セルＩＤ及びスクラムブリングＩＤで構成される干渉信号に対するＤＭＲＳ情報を利用して干渉に対する追加パラメータをブラインド感知（ｂｌｉｎｄ  ｄｅｔｅｃｔｉｏｎ）するとき、基地局の制御チャネルから設定された仮想セルＩＤ及びスクラムブリングＩＤ組合を除いてｂｌｉｎｄ  ｄｅｔｅｃｔｉｏｎ動作を行うことができる。第２実施例の方法を用いてｂｌｉｎｄ  ｄｅｔｅｃｔｉｏｎを行うＶＣＩＤとＳＣＩＤの組合の数を低減できる。
【０１６１】
前記動作を図１０を利用して説明すれば、次の通りである。
【０１６２】
図１０は、実施例２によるＴＭ１０伝送モード端末のダウンリンクデータ受信方法を説明する図である。
【０１６３】
図１０を参照すれば、端末は、段階１０００で、伝送モードＴＭ１０に設定され得る。この際、端末は、ＴＭ１０伝送モード動作のための仮想セルＩＤ及びスクラムブリングＩＤを伝達され得る。前記端末は、段階１０１０で、制御チャネルから設定された仮想セルＩＤ及びスクラムブリングＩＤに該当する伝送地点を確認し、前記伝送地点からＰＤＳＣＨ受信動作を行うことができる。もし、段階１０２０で、基地局から伝達された干渉に対する伝送パラメータのうち段階ＴＭ１０が含まれている場合、段階１０３０で、段階１０４０に進行し、段階１０００及び１０２０で伝達された仮想セルＩＤ及びスクラムブリングＩＤに対する干渉の伝送パラメータに対する追加検出動作を行う。この際、端末は、段階１０１０で伝達された仮想セルＩＤ及びスクラムブリングＩＤを除いた残りの干渉に対する仮想セルＩＤ及びスクラムブリングＩＤ組合に対してｂｌｉｎｄ  ｄｅｔｅｃｔｉｏｎ動作を行う。すなわち、段階１０１０で伝達された仮想セルＩＤとスクラムブリングＩＤ組合は、前記端末のためのＰＤＳＣＨを伝送するセルであり、干渉でないので、干渉除去のための追加パラメータを得るためのｂｌｉｎｄ  ｄｅｔｅｃｔｉｏｎを行わない。具体的なｂｌｉｎｄ  ｄｅｔｅｃｔｉｏｎ動作は、実施例１を参考する。
【０１６４】
段階１０４０を例に取ってより具体的に説明すれば、次の通りである。前記一例のように、段階１０００でＴＭ１０に伝送モードが設定された端末は、伝送地点ＶＣＩＤ３−０及びＶＣＩＤ２−１のように表現される仮想セルＩＤ及びスクラムブリングＩＤ組合を伝達され得る。また、前記端末は、段階１０２０で、干渉に対する仮想セルＩＤ及びスクラムブリングＩＤ組合、ＶＣＩＤ１−０、ＶＣＩＤ４−１、ＶＣＩＤ５−０、ＶＣＩＤ６−１を追加に伝達され得る。ここで、ＶＣＩＤ１−０は、仮想セルＩＤ１とスクラムブリングＩＤ０を意味する。その後、端末が段階１０１０で基地局が制御チャネルを介して端末に設定した伝送地点がＶＣＩＤ３−０である場合、端末は、ＶＣＩＤ１−０、ＶＣＩＤ４−１、ＶＣＩＤ５−０、ＶＣＩＤ６−１及びＶＣＩＤ２−１に対してｂｌｉｎｄ  ｄｅｔｅｃｔｉｏｎ動作を行う。
【０１６５】
すなわち、前記のように６個の仮想セルＩＤ及びスクラムブリングＩＤ組合を伝達された端末が、干渉に対する変調次数（ＱＰＳＫ、１６ＱＡＭ、６４ＱＡＭ）をｂｌｉｎｄ  ｄｅｔｅｃｔｉｏｎする場合、端末は、基地局の制御チャネルを介して設定された伝送地点に対する仮想セルＩＤ及びスクラムブリングＩＤ組合（例えばＶＣＩＤ３−０）を除いた残りの組合に対してＲａｎｋ１及びＤＭＲＳポート７を仮定し、変調次数各々に対してＶＣＩＤ１−０、ＶＣＩＤ２−１、ＶＣＩＤ４−１、ＶＣＩＤ５−０、ＶＣＩＤ６−１に対する数式４のようなｂｌｉｎｄ  ｄｅｔｅｃｔｉｏｎ動作を行う。また、端末は、ｒａｎｋ１及びＤＭＲＳポート８を仮定し、変調次数各々に対してＶＣＩＤ１−０、ＶＣＩＤ２−１、ＶＣＩＤ４−１、ＶＣＩＤ５−０、ＶＣＩＤ６−１に対するｂｌｉｎｄ  ｄｅｔｅｃｔｉｏｎ動作を行う。この際、端末は、ｒａｎｋ２及びＤＭＲＳポート７−８を仮定し、変調次数各々に対してＶＣＩＤ１−０、ＶＣＩＤ２−１、ＶＣＩＤ４−１、ＶＣＩＤ５−０、ＶＣＩＤ６−１に対するｂｌｉｎｄ  ｄｅｔｅｃｔｉｏｎ動作を行う。この際、端末は、干渉がない環境を仮定し、ｂｌｉｎｄ  ｄｅｔｅｃｔｉｏｎ動作を行うこともできる。この際、端末は、ｂｌｉｎｄ  ｄｅｔｅｃｔｉｏｎ実行時に獲得した結果値を利用して前記端末に最も高い干渉を与える仮想セルＩＤ及びスクラムブリングＩＤ、そして前記干渉の変調次数を確認できる。
【０１６６】
その後、前記端末は、段階１０６０で、ｂｌｉｎｄ  ｄｅｔｅｃｔｉｏｎ実行結果を含み、前記干渉に対する伝送パラメータを活用して干渉信号除去または干渉信号の統計的特性を反映する条件付き確率密度関数を用いたＬＬＲを算出し、段階１０７０で、ＰＤＳＣＨ復号を行う。
【０１６７】
もし、段階１０３０で、干渉の可能な伝送モードにＴＭ１０が含まれていない場合、前記数式９のように物理セルＩＤを利用して干渉に対するＤＭＲＳ数列を生成できる。その後、前記方式と同様に前記干渉に対するチャネルを推定できる。この際、前記端末は、段階１０００で基地局から設定された仮想セルＩＤ及びスクラムブリングＩＤ組合に対するｂｌｉｎｄ  ｄｅｔｅｃｔｉｏｎ動作を行うことができる。すなわち、段階１０００でＴＭ１０に伝送モードが設定された端末は、伝送地点ＶＣＩＤ３−０及びＶＣＩＤ２−１のように表現される仮想セルＩＤ及びスクラムブリングＩＤ組合を伝達され得る。その後、端末が段階１０１０で基地局が制御チャネルを介して端末に設定した伝送地点がＶＣＩＤ３−０や、段階１０３０で干渉に対する伝送モードＴＭ１０が含まれていない場合、段階１０５０で、前記端末は、ＶＣＩＤ２−１に対するｂｌｉｎｄ  ｄｅｔｅｃｔｉｏｎ動作を行うことができる。
【０１６８】
＜実施例３＞
本実施例３では、端末が干渉に対する追加伝送パラメータ獲得のために行うブラインド感知（ｂｌｉｎｄ  ｄｅｔｅｃｔｉｏｎ）を低減するための方法を説明する。より具体的に、端末は、干渉の伝送パラメータを利用してＤＭＲＳ干渉存在有無を判断した後、ＤＭＲＳ干渉が存在すると判断された干渉に対して追加伝送パラメータ獲得のためのｂｌｉｎｄ  ｄｅｔｅｃｔｉｏｎを行う。第３実施例は、第１実施例で追加にＤＭＲＳが存在する組合候補群に対してｂｌｉｎｄ  ｄｅｔｅｃｔｉｏｎを行うため、端末のｂｌｉｎｄ  ｄｅｔｅｃｔｉｏｎに対する負担を低減し、ｂｌｉｎｄ  ｄｅｔｅｃｔｉｏｎ対象リストを効率的に管理でき、端末の複雑度を低減できる。本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０１６９】
ＤＭＲＳ干渉存在有無を判断する方法を説明すれば、次の通りである。前記実施例１及び実施例２で説明したように、ＤＭＲＳ数列を生成するのに必要なパラメータは、物理セルＩＤまたは仮想セルＩＤ、スロット番号及びスクラムブリングＩＤで構成され得る。したがって、干渉制御及び抑制のための端末は、前記情報のうち少なくとも一部を基地局から伝達されるか、ｂｌｉｎｄ  ｄｅｔｅｃｔｉｏｎを通じて獲得し、干渉に対するＤＭＲＳ数列を生成できる。この際、端末は、生成されたＤＭＲＳ数列を利用して実施例１または実施例２のように干渉に対するチャネルをＬＳ（Ｌｅａｓｔ  Ｓｑｕａｒｅ）やＭＭＳＥ（Ｍｉｎｉｍｕｍ  Ｍｅａｎ  Ｓｑｕａｒｅ  Ｅｒｒｏｒ）のようなチャネル推定方法を利用して推定できる。より詳細なチャネル推定方法は、実施例１を参考する。
【０１７０】
ＤＭＲＳ数列を利用したチャネル推定過程で、端末が干渉ＤＭＲＳの存在有無を判断できる。ＤＭＲＳ信号存在有無を判断する一つの例を取ると、ＤＭＲＳ位置に該当するＲＥのチャネル値がすべて同じであると仮定し、チャネル推定を通じて得た値をＣＣ（Ｃｏｈｅｒｅｎｔ  Ｃｏｍｂｉｎｉｎｇ）して電力検波（Ｐｏｗｅｒ  Ｄｅｔｅｃｔｉｏｎ）する方法がある。
【０１７１】
他の方法として、端末がＭＭＳＥチャネル推定を行い、理論的に得たＭＳＥ（Ｍｅａｎ  Ｓｑｕａｒｅ  Ｅｒｒｏｒ）を臨界値に設定し、これと比較する方法が考慮されることもできる。すなわち、端末は、ＤＭＲＳに該当する資源に対してチャネル推定値を利用して電力検波またはＭＳＥ結果を臨界値との比較等で干渉の存在有無を判断できる。ここで、臨界値は、あらかじめ定義されるか、基地局から設定され得る。
【０１７２】
したがって、端末は、前記のような干渉信号のＤＭＲＳ存在有無を判断する動作を通じてＤＭＲＳが存在すると判断された干渉仮想セルＩＤ及びスクラムブリングＩＤに対して干渉の伝送パラメータ追加獲得のためのｂｌｉｎｄ  ｄｅｔｅｃｔｉｏｎ行うことができる。
【０１７３】
この際、前記で干渉ＤＭＲＳ検出方法のうち一つの例として説明したＭＭＳＥ（Ｍｉｎｉｍｕｍ  Ｍｅａｎ  Ｓｑｕａｒｅ  Ｅｒｒｏｒ）、ＭＳＥ（Ｍｅａｎ  Ｓｑｕａｒｅ  Ｅｒｒｏｒ）、電力検波（Ｐｏｗｅｒ  Ｄｅｔｅｃｔｉｏｎ）等のような方法は、数式４のような過程を必要とするｂｌｉｎｄ  ｄｅｔｅｃｔｉｏｎより相対的に低い複雑度を有する。したがって、本実施例を利用して端末は、前記実施例１または実施例２のように、可能なすべての仮想セルＩＤ及びスクラムブリングＩＤに対する追加的な干渉伝送パラメータｂｌｉｎｄ  ｄｅｔｅｃｔｉｏｎを行うことに比べて、端末の複雑度及びｂｌｉｎｄ  ｄｅｔｅｃｔｉｏｎ試み回数を低減できる。
【０１７４】
前記動作を図１１を利用して説明すれば、次の通りである。
【０１７５】
図１１は、実施例３による端末のダウンリンクデータ受信方法を説明する図である。
【０１７６】
図１１を参照すれば、端末は、段階１１００で、基地局から上位シグナリングを通じて表１のような干渉に対する伝送パラメータを伝達され得る。本実施例では、干渉に対する可能な伝送モードは、ＤＭＲＳ基盤で動作する伝送モードで構成されていると仮定する。したがって、端末は、段階１１００で、干渉に対する物理セルＩＤまたは仮想セルＩＤとスクラムブリングＩＤ等を伝達され得る。
【０１７７】
もし、段階１１１０で、段階１１００で確認した干渉に対する可能な伝送モードにＴＭ１０が含まれていると判断された端末は、段階１１２０で、段階１１００で伝達された干渉に対する仮想セルＩＤ及びスクラムブリングＩＤに対してＤＭＲＳ存在有無を確認できる。
【０１７８】
前記過程を例に取ってより具体的に説明すれば、次の通りである。前記一例のように、段階１１００で、端末は、ＶＣＩＤ１−０、ＶＣＩＤ２−１、ＶＣＩＤ３−０、ＶＣＩＤ４−１、ＶＣＩＤ５−０、ＶＣＩＤ６−１のように表現される６個の仮想セルＩＤ及びスクラムブリングＩＤ組合を伝達され得る。ここで、ＶＣＩＤ１−０は、仮想セルＩＤ１とスクラムブリングＩＤ０を意味する。その後、端末は、各干渉の仮想セルＩＤ及びスクラムブリングＩＤ組合に対するＤＭＲＳ順列を生成し、これを利用して前記干渉チャネルを推定及び前記ＤＭＲＳ順列に対して各ＤＭＲＳポートに対するＤＭＲＳ信号存在有無を判断できる。この際、ＤＭＲＳ存在有無に対する判断は、前もって定義されるか、基地局が設定した臨界値によってＤＭＲＳ信号存在有無を判断できる。
【０１７９】
すなわち、前記のように６個の仮想セルＩＤ及びスクラムブリングＩＤ組合を伝達された端末が、干渉に対する変調次数（ＱＰＳＫ、１６ＱＡＭ、６４ＱＡＭ）をｂｌｉｎｄ  ｄｅｔｅｃｔｉｏｎする場合、まず、端末は、段階１１２０で、Ｒａｎｋ１及びＤＭＲＳポート７を仮定し、ＶＣＩＤ１−０、ＶＣＩＤ２−１、ＶＣＩＤ３−０、ＶＣＩＤ４−１、ＶＣＩＤ５−０、ＶＣＩＤ６−１に対するＤＭＲＳ存在有無を判断する。同様に、端末は、ｒａｎｋ１及びＤＭＲＳポート８を仮定し、ＶＣＩＤ１−０、ＶＣＩＤ２−１、ＶＣＩＤ３−０、ＶＣＩＤ４−１、ＶＣＩＤ５−０、ＶＣＩＤ６−１に対するＤＭＲＳ存在有無を判断する。この際、端末は、ｒａｎｋ２及びＤＭＲＳポート７−８を仮定し、ＶＣＩＤ１−０、ＶＣＩＤ２−１、ＶＣＩＤ３−０、ＶＣＩＤ４−１、ＶＣＩＤ５−０、ＶＣＩＤ６−に対するＤＭＲＳ存在有無を判断する動作を行うことができる。この際、端末は、ｒａｎｋ２及びＤＭＲＳポート７−８に対するＤＭＲＳ存在有無を判断せず、各ＤＭＲＳポート７及びポート８に対する結果を通じて類推できる。
【０１８０】
この際、端末は、段階１１２０で、ＤＭＲＳポート７に対してＶＣＩＤ１−０及びＶＣＩＤ４−１に対するＤＭＲＳが存在すると判断し、ＤＭＲＳポート８に対してＶＣＩＤ１−０及びＶＣＩＤ５−０が存在すると判断できる。その後、端末は、段階１１４０で、段階１１２０でＤＭＲＳ信号が存在すると判断された仮想セルＩＤ及びスクラムブリングＩＤに対して干渉の追加パラメータ獲得のためのｂｌｉｎｄ  ｄｅｔｅｃｔｉｏｎ動作を行う。すなわち、ｒａｎｋ１及びＤＭＲＳポート７を仮定し、ＶＣＩＤ１−０及びＶＣＩＤ４−１に対して数式４のようなＱＰＳＫ、１６ＱＡＭ、６４ＱＡＭに対するｂｌｉｎｄ  ｄｅｔｅｃｔｉｏｎ動作を行う。その後、端末は、ｒａｎｋ１及びＤＭＲＳポート８、そしてｒａｎｋ２及びＤＭＲＳポート７−８に対してｂｌｉｎｄ  ｄｅｔｅｃｔｉｏｎ動作を行うことができる。
【０１８１】
その後、前記端末は、段階１１６０で、ｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出し、前記結果を利用してＰＤＳＣＨ復号を行う。
【０１８２】
もし、段階１１１０で、干渉に対する可能な伝送モードにＴＭ１０が含まれていない判断された端末は、段階１１３０で、物理セルＩＤ及びスクラムブリングＩＤに対するＤＭＲＳ干渉存在有無を判断できる。その後、段階１１５０で、端末は、段階１１３０で干渉が存在するものと判断された物理セルＩＤ及びスクラムブリングに対する干渉の伝送パラメータに対する追加検出動作を行うことができる。
【０１８３】
＜実施例４＞
本実施例４では、伝送モードＴＭ１０に設定された端末で、干渉に対する追加伝送パラメータ獲得のために行うｂｌｉｎｄ  ｄｅｔｅｃｔｉｏｎを低減するための方法を説明する。より具体的に、端末は、干渉の伝送パラメータを利用してＤＭＲＳ干渉存在有無を判断した後、ＤＭＲＳ干渉が存在するものと判断された干渉に対して追加伝送パラメータ獲得のためのｂｌｉｎｄ  ｄｅｔｅｃｔｉｏｎを行う。第４実施例は、第２実施例で追加にＤＭＲＳが存在する組合候補群に対してｂｌｉｎｄ  ｄｅｔｅｃｔｉｏｎを行うため、端末のｂｌｉｎｄ  ｄｅｔｅｃｔｉｏｎに対する負担を低減し、ｂｌｉｎｄ  ｄｅｔｅｃｔｉｏｎ対象リストを効率的に管理でき、端末の複雑度を低減できる。
【０１８４】
本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０１８５】
前記実施例で説明したように、ＤＭＲＳ数列を利用したチャネル推定過程で端末が干渉信号のＤＭＲＳ存在有無を判断できる。ＤＭＲＳ信号の存在有無を判断する一例を取ると、ＤＭＲＳ位置に該当するＲＥのチャネル値がすべて同じであると仮定し、チャネル推定を通じて得た値をＣＣ（Ｃｏｈｅｒｅｎｔ  Ｃｏｍｂｉｎｉｎｇ）して電力検波（Ｐｏｗｅｒ  Ｄｅｔｅｃｔｉｏｎ）する方法がある。
【０１８６】
他の方法として、端末がＭＭＳＥチャネル推定を行い、理論的に得たＭＳＥ（Ｍｅａｎ  Ｓｑｕａｒｅ  Ｅｒｒｏｒ）を臨界値に設定し、これと比較する方法が考慮されることもできる。すなわち、端末は、ＤＭＲＳに該当する資源に対してチャネル推定値を利用して電力検波またはＭＳＥ結果を臨界値との比較等で干渉の存在有無を判断できる。ここで、臨界値は、前もって定義されるか、基地局から設定され得る。
【０１８７】
したがって、端末は、前記のような干渉信号のＤＭＲＳ存在有無を判断する動作を通じてＤＭＲＳが存在すると判断された干渉仮想セルＩＤ及びスクラムブリングＩＤ組合に対して干渉の伝送パラメータ追加獲得のためのｂｌｉｎｄ  ｄｅｔｅｃｔｉｏｎを行うことができる。この際、前記で干渉ＤＭＲＳ検出方法のうち一つの例として説明したＭＭＳＥ（Ｍｉｎｉｍｕｍ  Ｍｅａｎ  Ｓｑｕａｒｅ  Ｅｒｒｏｒ）、ＭＳＥ（Ｍｅａｎ  Ｓｑｕａｒｅ  Ｅｒｒｏｒ）、電力検波（Ｐｏｗｅｒ  Ｄｅｔｅｃｔｉｏｎ）等のような方法は、数式４のような過程を必要とするｂｌｉｎｄ  ｄｅｔｅｃｔｉｏｎより相対的に低い複雑度を有する。
【０１８８】
したがって、端末は、前記実施例１または実施例２のように可能なすべての仮想セルＩＤ及びスクラムブリングＩＤに対する追加的な干渉伝送パラメータｂｌｉｎｄ  ｄｅｔｅｃｔｉｏｎを行うことに比べて、端末の複雑度及びｂｌｉｎｄ  ｄｅｔｅｃｔｉｏｎ試み回数を低減できる。
【０１８９】
前記実施例２で記述したように、伝送モードＴＭ１０は、一つの端末が一つ以上の伝送地点（ＴＰ：ｔｒａｎｓｍｉｓｓｉｏｎ  ｐｏｉｎｔ）から所望の信号（ＰＤＳＣＨ）を伝達され得るように設定された伝送モードである。この際、特定時間で端末は一つの伝送地点から信号を伝達され得、時間によって前記端末にＰＤＳＣＨを伝送する伝送地点は変わることができる。この際、基地局は、端末に制御チャネルを利用してＰＤＳＣＨを伝送する伝送地点に対する情報を通知できる。前記のような動作を効率的に行うために、ＬＴＥ／ＬＴＥ−Ａシステムでは、物理セルＩＤ（またはＰＣＩＤ）と別に仮想セルＩＤ（またはＶＣＩＤ）及びスクラムブリングＩＤ（またはｎＳＣＩＤ）を設定し、伝送地点を区分できる。言い換えれば、伝送モードＴＭ１０に設定された端末は、基地局からＰＤＳＣＨを伝送する２個の伝送地点に対する仮想セルＩＤ及びスクラムブリングＩＤを割り当てられることができる。例えば、前記端末は、ＶＣＩＤ３−０及びＶＣＩＤ２−１で伝送地点に対する仮想セルＩＤ及びスクラムブリングＩＤを割り当てられることができる。その後、基地局は、端末に制御チャネル、例えばＤＣＩ（ｄｏｗｎｌｉｎｋ  ｃｏｎｔｒｏｌ  ｉｎｆｏｒｍａｔｉｏｎ）ｆｏｒｍａｔ  ２Ｄビット列のうちｎＳＣＩＤを示すビットを利用して端末にＰＤＳＣＨを伝送する伝送地点を通知できる。すなわち、ｎＳＣＩＤを０に設定すれば、端末は、ＶＣＩＤ３−０を伝送地点と判断できる。
【０１９０】
したがって、伝送モードＴＭ１０に設定された端末で、もし、干渉の伝送モードがＴＭ１０であるか、干渉の可能な伝送モード候補集合のうちＴＭ１０が含まれている場合、端末は、基地局から前記干渉に対する複数個の仮想セルＩＤ及びスクラムブリングＩＤ組合に関する情報を追加に上位シグナリングを通じて伝達され得る。例えば、伝送モードＴＭ１０に設定された端末がＴＭ１０動作のために基地局からＶＣＩＤ３−０及びＶＣＩＤ２−１を設定され得る。また、端末は、基地局から干渉制御及び抑制動作のためにＶＣＩＤ１−０、ＶＣＩＤ４−１、ＶＣＩＤ５−０、ＶＣＩＤ６−１のように表現された干渉に対する仮想セルＩＤ及びスクラムブリングＩＤ組合を追加に伝達され得る。ここで、ＶＣＩＤ１−０は、仮想セルＩＤ１とスクラムブリングＩＤ０の組合を意味する。すなわち、この際、端末は、ＶＣＩＤ３−０、ＶＣＩＤ２−１、ＶＣＩＤ１−０、ＶＣＩＤ４−１、ＶＣＩＤ５−０、ＶＣＩＤ６−１で表現される仮想セルＩＤ及びスクラムブリングＩＤ組合を把握している。
【０１９１】
その後、基地局は、制御チャネルを利用して前記端末に伝送地点を設定できる。したがって、端末は、仮想セルＩＤ及びスクラムブリングＩＤ組合に対するＤＭＲＳ情報を利用してＤＭＲＳ信号存在有無の判断及び干渉に対する追加パラメータをｂｌｉｎｄ  ｄｅｔｅｃｔｉｏｎするとき、基地局の制御チャネルから設定された仮想セルＩＤ及びスクラムブリングＩＤ組合を除いてｂｌｉｎｄ  ｄｅｔｅｃｔｉｏｎ動作を行うことができる。言い換えれば、ＴＭ１０モードに設定された端末は、基地局から設定された仮想セルＩＤ及びスクラムブリングＩＤ組合を除いた残りの組合に対してＤＭＲＳ信号存在有無判断及び判断された干渉に対する追加パラメータのｂｌｉｎｄ  ｄｅｔｅｃｔｉｏｎ動作を行う。
【０１９２】
前記動作を図１２を利用して説明すれば、次の通りである。
【０１９３】
図１２は、実施例４によるＴＭ１０伝送モード端末のダウンリンクデータ受信方法を説明する図である。
【０１９４】
図１２を参照すれば、端末は、段階１２００で、伝送モードＴＭ１０に設定され得る。この際、端末は、ＴＭ１０伝送モード動作のための仮想セルＩＤ及びスクラムブリングＩＤ組合を伝達され得る。この際、前記端末は、基地局から伝送される制御チャネルを利用して前記端末に設定されたサービング仮想セルＩＤ及びスクラムブリングＩＤに対する伝送地点を確認できる。もし、段階１２１０で、基地局から伝達された干渉に対する伝送パラメータのうち、段階１２２０で、ＴＭ１０が含まれていると判断された場合、端末は、段階１２３０で、段階１２００及び１２１０で伝達された仮想セルＩＤ及びスクラムブリングＩＤ組合に対するＤＭＲＳ信号存在有無を判断できる。この際、端末は、仮想セルＩＤ及びスクラムブリングＩＤ組合のうち、段階１２００で伝達されたサービング仮想セルＩＤ及びスクラムブリングＩＤを除いた残りの干渉に対する仮想セルＩＤ及びスクラムブリングＩＤ組合に対してＤＭＲＳ信号存在有無を判断する。
【０１９５】
段階１２３０を例に取ってより具体的に説明すれば、次の通りである。前記一例のように、段階１２００でＴＭ１０に伝送モードが設定された端末は、伝送地点ＶＣＩＤ３−０及びＶＣＩＤ２−１のように表現される仮想セルＩＤ及びスクラムブリングＩＤ組合を伝達され得る。また、干渉の伝送モードでＴＭ１０が可能な場合、前記端末は、段階１２１０で、干渉に対する仮想セルＩＤ及びスクラムブリングＩＤ組合、ＶＣＩＤ１−０、ＶＣＩＤ４−１、ＶＣＩＤ５−０、ＶＣＩＤ６−１を追加に伝達され得る。ここで、ＶＣＩＤ１−０は、仮想セルＩＤ１とスクラムブリングＩＤ０を意味する。この際、段階１２００で基地局が制御チャネルを介して端末に設定した伝送地点がＶＣＩＤ３−０に設定される場合、前記端末は、仮想セルＩＤ及びスクラムブリングＩＤ組合のうちＶＣＩＤ３−０を除いた残りのＶＣＩＤ１−０、ＶＣＩＤ４−１、ＶＣＩＤ５−０、ＶＣＩＤ６−１及びＶＣＩＤ２−１に対してＤＭＲＳ信号存在有無を判断する。
【０１９６】
すなわち、前記のように６個の仮想セルＩＤ及びスクラムブリングＩＤ組合を伝達された端末が、干渉に対する変調次数（ＱＰＳＫ、１６ＱＡＭ、６４ＱＡＭ）をｂｌｉｎｄ  ｄｅｔｅｃｔｉｏｎする場合、端末は、基地局の制御チャネルを介して設定された伝送地点に対する仮想セルＩＤ及びスクラムブリングＩＤ組合（例えばＶＣＩＤ３−０）を除いた残りの組合に対してＲａｎｋ１及びＤＭＲＳポート７を仮定し、ＶＣＩＤ１−０、ＶＣＩＤ２−１、ＶＣＩＤ４−１、ＶＣＩＤ５−０、ＶＣＩＤ６−１に対するＤＭＲＳ信号存在有無を判断する。また、端末は、ｒａｎｋ１及びＤＭＲＳポート８を仮定し、ＶＣＩＤ１−０、ＶＣＩＤ２−１、ＶＣＩＤ４−１、ＶＣＩＤ５−０、ＶＣＩＤ６−１に対するＤＭＲＳ信号存在有無を判断する。この際、端末は、ｒａｎｋ２及びＤＭＲＳポート７−８を仮定し、変調次数各々に対してＶＣＩＤ１−０、ＶＣＩＤ２−１、ＶＣＩＤ４−１、ＶＣＩＤ５−０、ＶＣＩＤ６−１に対するｂｌｉｎｄ  ｄｅｔｅｃｔｉｏｎ動作を行う。この際、端末は、ｒａｎｋ２及びＤＭＲＳポート７−８を仮定し、ＶＣＩＤ１−０、ＶＣＩＤ２−１、ＶＣＩＤ４−１、ＶＣＩＤ５−０、ＶＣＩＤ６−１に対するＤＭＲＳ存在有無を判断する動作を行うか、行わず、ｒａｎｋ１及びＤＭＲＳポート７及びポート８に対する結果を利用して判断できる。
【０１９７】
この際、端末は、段階１２３０で、ＤＭＲＳポート７に対してＶＣＩＤ１−０及びＶＣＩＤ４−１に対するＤＭＲＳが存在すると判断し、ＤＭＲＳポート８に対してＶＣＩＤ１−０及びＶＣＩＤ５−０が存在すると判断できる。その後、端末は、段階１２５０で、段階１２４０でＤＭＲＳ信号が存在すると判断された仮想セルＩＤ及びスクラムブリングＩＤに対して各ＤＭＲＳポートに対して干渉の追加パラメータ獲得のためのｂｌｉｎｄ  ｄｅｔｅｃｔｉｏｎ動作を行う。すなわち、ｒａｎｋ１及びＤＭＲＳポート７を仮定し、ＶＣＩＤ１−０及びＶＣＩＤ４−１に対して数式４のようなＱＰＳＫ、１６ＱＡＭ、６４ＱＡＭに対するｂｌｉｎｄ  ｄｅｔｅｃｔｉｏｎ動作を行うことができる。その後、端末は、ｒａｎｋ１及びＤＭＲＳポート８、そしてｒａｎｋ２及びＤＭＲＳポート７−８に対して前記のようなｂｌｉｎｄ  ｄｅｔｅｃｔｉｏｎ動作を行うことができる。この際、前記数式４のようなｂｌｉｎｄ  ｄｅｔｅｃｔｉｏｎ方法は、一つの例に過ぎない。
【０１９８】
その後、前記端末は、段階１２７０で、ｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出し、これを利用してＰＤＳＣＨ復号を行う。
【０１９９】
もし、段階１２２０で干渉の可能な伝送モードにＴＭ１０が含まれていない場合、前記数式９のように物理セルＩＤを利用して干渉に対するＤＭＲＳ数列を生成できる。その後、前記方式と同様に、段階１２４０で、ＤＭＲＳ信号存在有無を判断できる。その後、段階１２６０で、ＤＭＲＳ信号が存在すると判断された物理セルＩＤ及びスクラムブリングＩＤ組合に対して干渉の追加伝送パラメータ獲得のためにｂｌｉｎｄ  ｄｅｔｅｃｔｉｏｎ動作を行うことができる。
【０２００】
この際、前記端末は、物理セルＩＤ及びスクラムブリングＩＤ組合のみならず、段階１２００で基地局から設定された仮想セルＩＤ及びスクラムブリングＩＤ組合に対するＤＭＲＳ信号存在有無をも判断できる。すなわち、段階１２００でＴＭ１０に伝送モードが設定された端末は、伝送地点ＶＣＩＤ３−０及びＶＣＩＤ２−１のように表現される仮想セルＩＤ及びスクラムブリングＩＤ組合を伝達され得る。この際、基地局が制御チャネルを介して端末に設定した伝送地点がＶＣＩＤ３−０で、段階１２２０で干渉に対する伝送モードＴＭ１０が含まれていない場合、前記端末は、段階１２４０で、ＶＣＩＤ２−１に対するＤＭＲＳ信号存在有無判断を行うことができる。この際、もし当該干渉が存在すると判断される場合、段階１２６０で、前記干渉に対するｂｌｉｎｄ  ｄｅｔｅｃｔｉｏｎ動作を行うことができる。すなわち、段階１２４０で、端末は、ＴＭ１０動作のために設定された仮想セルＩＤ及びスクラムブリングＩＤ組合のうち、基地局から制御チャネルを介して設定された仮想セルＩＤ及びスクラムブリングＩＤを除いた残りの仮想セルＩＤ及びスクラムブリングＩＤ組合に対するＤＭＲＳ信号存在有無及びｂｌｉｎｄ  ｄｅｔｅｃｔｉｏｎ動作を行うことができる。
【０２０１】
ここで、端末は、ＴＭ１０動作のために設定された仮想セルＩＤ及びスクラムブリングＩＤ組合の中で、基地局から制御チャネルを介して設定された仮想セルＩＤ及びスクラムブリングＩＤを除いた残りの仮想セルＩＤ及びスクラムブリングＩＤ組合のみに対してＤＭＲＳ信号存在有無及びｂｌｉｎｄ  ｄｅｔｅｃｔｉｏｎ動作を行うことができ、前記仮想セルＩＤ及びスクラムブリングＩＤ組合のみならず、前記物理セルＩＤ及びスクラムブリングＩＤに対する干渉信号存在有無及びｂｌｉｎｄ  ｄｅｔｅｃｔｉｏｎ動作を追加に行うことができる。
【０２０２】
＜実施例５＞
本実施例５では、前記実施例３及び実施例４のように端末が干渉の伝送パラメータを利用してＤＭＲＳ干渉存在有無を判断した後、ＤＭＲＳ干渉が存在すると判断された干渉のうち一部に対して追加伝送パラメータ獲得のためのｂｌｉｎｄ  ｄｅｔｅｃｔｉｏｎを行う方法を説明する。これを通じて、端末の複雑度及びｂｌｉｎｄ  ｄｅｔｅｃｔｉｏｎ試み回数を低減できる。
【０２０３】
本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０２０４】
前記実施例３及び４で説明したように、ＤＭＲＳ数列を利用したチャネル推定過程で端末が干渉信号のＤＭＲＳ存在有無をＭＭＳＥ（Ｍｉｎｉｍｕｍ  Ｍｅａｎ  Ｓｑｕａｒｅ  Ｅｒｒｏｒ）、ＭＳＥ（Ｍｅａｎ  Ｓｑｕａｒｅ  Ｅｒｒｏｒ）、電力検波（Ｐｏｗｅｒ  ｄｅｔｅｃｔｉｏｎ）等のような方式で判断できる。この際、前記端末は、前記のように干渉信号のＤＭＲＳ存在有無を判断する動作を通じてＤＭＲＳが存在すると判断された干渉仮想セルＩＤ及びスクラムブリングＩＤに対して干渉の伝送パラメータ追加獲得のためのｂｌｉｎｄ  ｄｅｔｅｃｔｉｏｎ行うことができる。
【０２０５】
ここで、端末は、ＤＭＲＳ存在有無判断情報を利用してＤＭＲＳが存在すると判断された干渉のうち一部の仮想セルＩＤ及びスクラムブリングＩＤに対して干渉の伝送パラメータ追加獲得のためのｂｌｉｎｄ  ｄｅｔｅｃｔｉｏｎ行うことができる。この際、一部の仮想セルＩＤ及びスクラムブリングＩＤ組合を選択する方法は、次の通りである。
【０２０６】
［方法５−１］：ＤＭＲＳ存在有無判断に使用された情報を利用してｂｌｉｎｄ  ｄｅｔｅｃｔｉｏｎ動作を行うＫ個の仮想セルＩＤ及びスクラムブリングＩＤ選択。
【０２０７】
前記動作を電力検波（ｐｏｗｅｒ  ｄｅｔｅｃｔｉｏｎ）方法を用いて干渉ＤＭＲＳ存在有無を判断した場合を例に取って説明すれば、次の通りである。電力検波情報を利用することは、一例に過ぎず、ＭＳＥ値のようにＤＭＲＳ信号存在有無に利用された情報すべてを適用できる。
【０２０８】
端末は、電力検波方法を利用して干渉ＤＭＲＳ信号存在有無を判断する動作を行ったと仮定する。この際、端末は、前記検出動作を通じて、ＤＭＲＳポート７でＶＣＩＤ１−０、ＶＣＩＤ４−１、及びＶＣＩＤ５−０に該当する干渉ＤＭＲＳ信号が存在すると判断できる。この際、もし、電力検波動作実行結果で測定された電力のサイズがあらかじめ定義された臨界値、または基地局が設定した臨界値より小さい仮想セルＩＤ及びスクラムブリングＩＤに対しては、干渉ＰＤＳＣＨに対する追加的な伝送パラメータ獲得のためのｂｌｉｎｄ  ｄｅｔｅｃｔｉｏｎ動作を行わなくてもよい。
【０２０９】
言い換えれば、前記のように干渉ＤＭＲＳ信号が存在すると判断されたＶＣＩＤ１−０、ＶＣＩＤ４−１、及びＶＣＩＤ５−０のうち、ＶＣＩＤ５−０に対する干渉ＤＭＲＳ信号存在有無の判断時に測定された電力のサイズが設定された臨界値より小さい場合、前記端末は、ＶＣＩＤ５−０を除いたＶＣＩＤ１−０及びＶＣＩＤ４−１のみに対して干渉ＰＤＳＣＨに対する追加的な伝送パラメータ獲得のためのｂｌｉｎｄ  ｄｅｔｅｃｔｉｏｎ動作を行うことができる。言い換えれば、ＤＭＲＳ信号存在有無の判断時に使用された結果値が設定された臨界値より大きい干渉仮想セルＩＤ及びスクラムブリングＩＤ組合に対してｂｌｉｎｄ  ｄｅｔｅｃｔｉｏｎ動作を行うことによって、端末の複雑度を減少させることができる。
【０２１０】
［方法５−２］：ＤＭＲＳ存在有無の判断情報を利用して順次にｂｌｉｎｄ  ｄｅｔｅｃｔｉｏｎ動作実行。
【０２１１】
前記動作を電力検波（ｐｏｗｅｒ  ｄｅｔｅｃｔｉｏｎ）方法を用いて干渉ＤＭＲＳ存在有無を判断した場合を例に取って説明すれば、次の通りである。電力検波情報を利用することは、一例に過ぎず、ＭＳＥ値のようにＤＭＲＳ信号存在有無に利用された情報すべてを適用できる。
【０２１２】
端末は、電力検波方法を利用して干渉ＤＭＲＳ信号存在有無を判断する動作を行ったと仮定する。この際、端末は、前記判断動作を通じて、ＤＭＲＳポート７でＶＣＩＤ１−０、ＶＣＩＤ２−１、ＶＣＩＤ３−０、ＶＣＩＤ４−１に該当する干渉ＤＭＲＳ信号が存在すると判断できる。この際、端末は、前記のように干渉ＤＭＲＳ信号が存在したと判断された干渉仮想セルＩＤ及びスクラムブリングＩＤ組合を電力検波時に測定された信号のサイズ順に整列できる。例えば、ＶＣＩＤ２−１、ＶＣＩＤ１−０、ＶＣＩＤ４−１、ＶＣＩＤ３−０の順に整列され得る。したがって、端末は、前記のように整列された順に当該仮想セルＩＤ及びスクラムブリングＩＤに対して干渉ＰＤＳＣＨに対する追加的な伝送パラメータ獲得のためのｂｌｉｎｄ  ｄｅｔｅｃｔｉｏｎ動作を順次に行うことができる。
【０２１３】
この際、端末は、前もって設定されるか、基地局が上位シグナリングを利用して設定したＫ個の仮想セルＩＤ及びスクラムブリングＩＤ組合に対してｂｌｉｎｄ  ｄｅｔｅｃｔｉｏｎ動作を行うことができる。この際、Ｋは、１を含むことができる。言い換えれば、基地局が端末に最大２個の仮想セルＩＤ及びスクラムブリングＩＤ組合に対するｂｌｉｎｄ  ｄｅｔｅｃｔｉｏｎを設定した場合、前記端末は、ＶＣＩＤ２−１、ＶＣＩＤ１−０、ＶＣＩＤ４−１、ＶＣＩＤ３−０に整列された組合のうちＶＣＩＤ２−１及びＶＣＩＤ１−０に該当する干渉に対するｂｌｉｎｄ  ｄｅｔｅｃｔｉｏｎを行い、干渉に対するパラメータを追加獲得できる。
【０２１４】
また、方法５−１と５−２を同時に適用できる。すなわち、ＤＭＲＳ信号存在有無の判断時に所定の臨界値以上を有する仮想セルＩＤ及びスクラムブリングＩＤを有する組合のうち既定のＫ個の組合に対してだけｂｌｉｎｄ  ｄｅｔｅｃｔｉｏｎ動作を行うことができる。
【０２１５】
［方法５−３］：ＴＭ１０動作のために設定された仮想セルＩＤ及びスクラムブリングＩＤに対するｂｌｉｎｄ  ｄｅｔｅｃｔｉｏｎを先に実行。
【０２１６】
前記で説明したように、端末がＴＭ１０で動作するように設定された場合、ＴＭ１０動作を支援するために、端末は、仮想セルＩＤ及びスクラムブリングＩＤを伝達され得る。例えばＶＣＩＤ３−０及びＶＣＩＤ２−１のように表現される仮想セルＩＤ及びスクラムブリングＩＤ組合を前記端末の可能な伝送地点に伝達され得る。その後、端末は、基地局から制御チャネルを介して端末に設定した伝送地点がＰＤＳＣＨを伝送する伝送地点を伝達される。この際、端末は、制御チャネルを介して設定されない残りの伝送地点に対するＤＭＲＳ干渉存在判断動作またはｂｌｉｎｄ  ｄｅｔｅｃｔｉｏｎ動作を先に行うことができる。
【０２１７】
本実施例では、ＤＭＲＳ干渉存在が判断され、前記条件を満足する仮想セルＩＤ及びスクラムブリングＩＤ組合すべてに対してｂｌｉｎｄ  ｄｅｔｅｃｔｉｏｎ動作を行うことのみならず、ＤＭＲＳ干渉存在が判断時に整列された仮想セルＩＤ及びスクラムブリングＩＤ組合を順次にｂｌｉｎｄ  ｄｅｔｅｃｔｉｏｎ動作を行うことを含む。言い換えれば、ＤＭＲＳ干渉存在が判断時に整列された仮想セルＩＤ及びスクラムブリングＩＤ組合のうち最も一番目に該当する仮想セルＩＤ及びスクラムブリングＩＤ組合に対してｂｌｉｎｄ  ｄｅｔｅｃｔｉｏｎ動作を行い、前記ｂｌｉｎｄ  ｄｅｔｅｃｔｉｏｎ動作が前もって定義された臨界値以上に判断されれば、これ以上ｂｌｉｎｄ  ｄｅｔｅｃｔｉｏｎ動作をせず、ｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出し、これを利用してＰＤＳＣＨ復号を行う。
【０２１８】
＜実施例６＞
本実施例６では、前記実施例４及び実施例５のように端末が干渉の伝送パラメータを利用して仮想セルＩＤ及びスクラムブリングＩＤ組合のうち一部に対してＤＭＲＳ干渉存在有無を判断する方法を説明する。これを通じて、端末のＤＭＲＳ干渉存在判断及びｂｌｉｎｄ  ｄｅｔｅｃｔｉｏｎ試み回数を低減できる。
【０２１９】
本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０２２０】
前記動作を図１３を例に取って説明すれば、次の通りである。
【０２２１】
図１３は、実施例６による端末のダウンリンクデータ受信方法を説明する図である。
【０２２２】
図１３を参照すれば、端末は、段階１３００で、基地局から干渉ＰＤＳＣＨに対する伝送モードまたは可能な伝送モード候補を含んで干渉に対する伝送パラメータ一部を伝達され得る。この際、段階１３０５で、干渉ＰＤＳＣＨに対する伝送モードのうちＴＭ１０が含まれている場合、端末は、１３００段階で当該干渉に対する仮想セルＩＤ及びスクラムブリングＩＤ組合（例えばＶＣＩＤ１−０、ＶＣＩＤ２−１、ＶＣＩＤ３−０、ＶＣＩＤ４−１、ＶＣＩＤ５−０、ＶＣＩＤ６−１）を基地局から伝達され得る。ここで、ＶＣＩＤ１−０は、仮想セルＩＤ１とスクラムブリングＩＤ０を意味する。
【０２２３】
この際、段階１３００で端末が基地局から干渉に対するＣＲＳとＣＳＩ−ＲＳとのＱＣＬ（Ｑｕａｓｉ−ｃｏｌｏｃａｔｉｏｎ）情報を伝達される場合、端末は、ＣＳＩ−ＲＳを利用して干渉チャネルを測定できる。したがって、端末は、段階１３１０で、前記干渉チャネルサイズ情報を利用して干渉仮想セルＩＤ及びスクラムブリングＩＤ組合を測定されたチャネルのサイズ順に整列できる。この際、端末は、段階１３１０で測定されたチャネルによって整列された干渉仮想セルＩＤ及びスクラムブリングＩＤ組合に対して、段階１３２０で、順次に干渉ＤＭＲＳ信号存在有無を判断できる。
【０２２４】
例えば、チャネルサイズが大きい順に干渉に対する仮想セルＩＤ及びスクラムブリングＩＤがＶＣＩＤ３−０、ＶＣＩＤ４−１、ＶＣＩＤ１−０、ＶＣＩＤ２−１、ＶＣＩＤ５−０、ＶＣＩＤ６−１のように整列されたと仮定できる。この際、端末は、各ＤＭＲＳポート（ＤＭＲＳポート７、ポート８、ポート７−８）に対してＶＣＩＤ３−０に該当する干渉ＤＭＲＳ信号存在有無を判断する。もしＶＣＩＤ３−０に該当する干渉ＤＭＲＳが存在しないと判断された場合、端末は、順次に、すなわちＶＣＩＤ４−１に該当する干渉ＤＭＲＳ存在有無を判断する。もしＶＣＩＤ４−１に対する干渉ＤＭＲＳ信号が存在すると判断される場合、端末は、段階１３３０で、前記検出された仮想セルＩＤ及びスクラムブリングＩＤに対する追加的な干渉伝送パラメータ獲得のためのｂｌｉｎｄ  ｄｅｔｅｃｔｉｏｎ動作を順次に行うことができる。前記のように、干渉ＤＭＲＳ検出及びｂｌｉｎｄ  ｄｅｔｅｃｔｉｏｎ動作を順次に実行させることによって、端末は、干渉制御動作のための複雑度を低減できる。
【０２２５】
この際、前記実施例５の方法１、方法２等のような方式を利用してＤＭＲＳ存在有無判断及びｂｌｉｎｄ  ｄｅｔｅｃｔｉｏｎ実行試みを追加に低減できる。
【０２２６】
その後、前記端末は、段階１３４０で、ｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出し、ＰＤＳＣＨ復号を行う。
【０２２７】
もし、段階１３０５で、干渉の可能な伝送モードにＴＭ１０が含まれていない場合、前記数式９のように物理セルＩＤを利用して干渉に対するＤＭＲＳ数列を生成できる。その後、前記方式と同様にＤＭＲＳ信号存在有無を判断できる。この際、端末は、前記段階１３１０のように前記干渉チャネルサイズ情報を利用して干渉物理セルＩＤ及びスクラムブリングＩＤ組合をチャネルサイズ順に整列できる。整列された物理セルＩＤ及びスクラムブリングＩＤ組合に対して、段階１３２５で、干渉ＤＭＲＳ信号存在有無を判断できる。その後、端末は、段階１３３５で、干渉ＤＭＲＳが存在すると判断された物理セルＩＤ及びスクラムブリングＩＤ組合に対してｂｌｉｎｄ  ｄｅｔｅｃｔｉｏｎ動作を行うことができる。
【０２２８】
この際、前記実施例５の方法１、方法２等のような方式を利用してＤＭＲＳ存在有無判断及びｂｌｉｎｄ  ｄｅｔｅｃｔｉｏｎ実行試みを低減できる。
【０２２９】
＜実施例７＞
本実施例７では、伝送モードがＴＭ１０に設定された端末で前記実施例４及び実施例５のように端末が干渉の伝送パラメータを利用して仮想セルＩＤ及びスクラムブリングＩＤ組合のうち一部に対してＤＭＲＳ干渉存在有無を判断する方法を説明する。これを通じて、端末のＤＭＲＳ干渉存在判断及びｂｌｉｎｄ  ｄｅｔｅｃｔｉｏｎ試み回数を低減できる。
【０２３０】
本実施例では、干渉に対する可能な伝送モード候補が少なくともＤＭＲＳ基盤で動作する場合を仮定して説明する。しかし、また、本発明の実施例は、熟練された技術的知識を有する者の判断として本発明の範囲を大きく逸脱しない範囲で一部の変形を通じて他のＣＲＳ基盤の伝送モードにも適用され得る。
【０２３１】
伝送モードがＴＭ１０に設定された端末での前記動作を図１４を例に取って説明すれば、次の通りである。
【０２３２】
図１４は、実施例７によるＴＭ１０伝送モード端末のダウンリンクデータ受信方法を説明する図である。
【０２３３】
図１４を参照すれば、端末は、段階１４００で、伝送モードＴＭ１０に設定され得る。この際、端末は、ＴＭ１０伝送モード動作のための仮想セルＩＤ及びスクラムブリングＩＤ組合、ＶＣＩＤ３−０及びＶＣＩＤ２−１のように伝達され得る。また、前記端末は、段階１４００で制御チャネル（例えば、ＰＤＣＣＨを通じて伝送されるＤＣＩ  ｆｏｒｍａｔ  ２Ｄ）から設定された仮想セルＩＤ及びスクラムブリングＩＤに該当する伝送地点を確認し、前記伝送地点からＰＤＳＣＨ受信動作を行うことができる。
【０２３４】
端末は、段階１４１０で、基地局から干渉ＰＤＳＣＨに対する伝送モードまたは可能な伝送モード候補を含んで干渉に対する伝送パラメータの一部を伝達され得る。この際、干渉ＰＤＳＣＨに対する伝送モードのうちＴＭ１０が含まれている場合、端末は、当該干渉に対する仮想セルＩＤ及びスクラムブリングＩＤ（例えばＶＣＩＤ１−０、ＶＣＩＤ４−１、ＶＣＩＤ５−０、ＶＣＩＤ６−１）を基地局から伝達され得る。ここで、ＶＣＩＤ１−０は、仮想セルＩＤ１とスクラムブリングＩＤ０を意味する。また、段階１４１０で端末が基地局から干渉に対するＣＲＳとＣＳＩ−ＲＳとのＱＣＬ（Ｑｕａｓｉ−ｃｏｌｏｃａｔｉｏｎ）情報を伝達された場合、端末は、ＣＳＩ−ＲＳを利用して干渉チャネルを測定できる。したがって、端末は、段階１４２０で、前記干渉チャネル情報を利用して干渉仮想セルＩＤ及びスクラムブリングＩＤ組合を下記のように整列できる。
【０２３５】
［方法７−１］測定された干渉チャネルサイズの順に仮想セルＩＤ及びスクラムブリングＩＤ組合整列。
【０２３６】
［方法７−２］方法７−１を利用して整列後、端末のＴＭ１０動作のために伝達された仮想セルＩＤ及びスクラムブリングＩＤ組合を最も前方に再配置。すなわち、前記端末のＴＭ１０動作のために伝達された仮想セルＩＤ及びスクラムブリングＩＤ組合のうち端末のサービング仮想セルＩＤ及びスクラムブリングＩＤでない組合は、端末に干渉として適用する可能性が非常に高い。したがって、端末のＴＭ１０動作のために伝達された仮想セルＩＤとスクラムブリングＩＤの組合のうち、前記端末のサービング仮想セルＩＤ及びスクラムブリングＩＤ組合でない仮想セルＩＤ及びスクラムブリングＩＤの組合をｂｌｉｎｄ  ｄｅｔｅｃｔｉｎｇ手順において最も高い優先順位になるように設定できる。
【０２３７】
この際、端末は、段階１４２０またはその以前段階で測定されたチャネルによって整列された干渉仮想セルＩＤ及びスクラムブリングＩＤ組合に対して、段階１４４０で、順次に干渉ＤＭＲＳ信号存在有無を判断できる。例えば、方法７−１のように測定されたチャネルサイズが大きい順に仮想セルＩＤ及びスクラムブリングＩＤをＶＣＩＤ３−０、ＶＣＩＤ４−１、ＶＣＩＤ１−０、ＶＣＩＤ２−１、ＶＣＩＤ５−０、ＶＣＩＤ６−１のように整列されたと仮定できる。この際、端末は、段階１４００で基地局から制御チャネルを介して伝達された端末のサービング仮想セルＩＤ及びスクラムブリングＩＤを整列された仮想セルＩＤ及びスクラムブリングＩＤ組合から除外することができる。すなわち、もし基地局がＤＣＩ  ｆｏｒｍａｔ  ２ＤのスクラムブリングＩＤビットを０に設定する場合、言い換えれば、基地局がＶＣＩＤ３−０を端末のサービング仮想セルＩＤ及びスクラムブリングＩＤで通知した場合、端末は、ＶＣＩＤ３−０を除いて、ＶＣＩＤ４−１、ＶＣＩＤ１−０、ＶＣＩＤ２−１、ＶＣＩＤ５−０、ＶＣＩＤ６−１に対する干渉ＤＭＲＳ信号存在有無を順次に判断できる。もし基地局がＤＣＩ  ｆｏｒｍａｔ  ２ＤのスクラムブリングＩＤビットを１に設定する場合、言い換えれば、端末は、ＶＣＩＤ２−１を整列された仮想セルＩＤ及びスクラムブリングＩＤ組合から除外することができる。
【０２３８】
前記整列された組合を利用して端末が各ＤＭＲＳポートに対して（ＤＭＲＳポート７、ポート８、ポート７−８）ＶＣＩＤ４−１に該当する干渉ＤＭＲＳが存在しないと判断された場合、端末は、順次に、すなわちＶＣＩＤ１−０に該当する干渉ＤＭＲＳ存在有無を判断する。もしＶＣＩＤ１−０に対する干渉ＤＭＲＳ信号が存在すると判断される場合、端末は、段階１４６０で、前記仮想セルＩＤ及びスクラムブリングＩＤ（ＶＣＩＤ１−０）に対する追加的な干渉伝送パラメータ獲得のためのｂｌｉｎｄ  ｄｅｔｅｃｔｉｏｎ動作を行うことができる。前記のように干渉ＤＭＲＳ存在有無判断及びｂｌｉｎｄ  ｄｅｔｅｃｔｉｏｎ動作を順次に実行させることによって、端末は、干渉制御動作のための複雑度を低減できる。詳細なｂｌｉｎｄ  ｄｅｔｅｃｔｉｏｎ動作は、前記実施例を参照できる。
【０２３９】
この際、前記実施例５の方法１、方法２等のような方式を利用してＤＭＲＳ存在有無判断及びｂｌｉｎｄ  ｄｅｔｅｃｔｉｏｎ実行試みを低減できる。
【０２４０】
その後、前記端末は、段階１４８０で、ｂｌｉｎｄ  ｄｅｔｅｃｔｉｏｎ実行結果を含んで前記干渉に対する伝送パラメータを活用して干渉信号除去または干渉信号の統計的特性を反映する条件付き確率密度関数を用いたＬＬＲを算出してＰＤＳＣＨ復号を行う。
【０２４１】
もし、段階１４１０で、干渉の可能な伝送モードにＴＭ１０が含まれていない場合、前記数式９のように物理セルＩＤを利用して干渉に対するＤＭＲＳ数列を生成できる。その後、前記方式と同様にＤＭＲＳ信号存在有無を判断できる。この際、端末は、前記段階１４３０のように前記干渉チャネルサイズ情報を利用して干渉物理セルＩＤ及びスクラムブリングＩＤ組合をチャネルサイズ順に整列できる。整列された物理セルＩＤ及びスクラムブリングＩＤ組合に対して、段階１４５０で、干渉ＤＭＲＳ信号存在有無を判断できる。その後、端末は、段階１４７０で、干渉ＤＭＲＳが存在すると判断された物理セルＩＤ及びスクラムブリングＩＤ組合に対してｂｌｉｎｄ  ｄｅｔｅｃｔｉｏｎ動作を行うことができる。
【０２４２】
この際、前記実施例５の方法１、方法２、方法３等のような方式を利用してＤＭＲＳ存在有無判断及びｂｌｉｎｄ  ｄｅｔｅｃｔｉｏｎ実行試みを低減できる。
【０２４３】
図１５は、本発明の実施例による干渉除去及び抑制方法を用いて端末受信機性能改善を支援するための基地局の装置を説明する図である。
【０２４４】
図１５を参照すれば、基地局装置は、制御機１５００、送信機１５１０及び受信機１５２０を含むことができる。
【０２４５】
基地局の制御機１５００は、特定端末に対する干渉セル設定と端末に伝達する干渉セルの伝送パラメータ設定、ＰＤＳＣＨスケジューリング及び当該ＣＳＩ−ＲＳ、ＣＲＳ情報、ダウンリンク帯域幅（またはＲＢの総個数）、ＰＲＳが伝送され得るサブフレーム、及びＭＢＳＦＮサブフレーム情報等の一部または全部を決定できる。
【０２４６】
前記制御機１５００が決定した端末の干渉セルの伝送パラメータは、送信機１５１０を利用して端末に通知され得る。制御機１５００のＰＤＳＣＨスケジューリング決定によって制御情報及びＰＤＳＣＨが前記送信機１５１０によって端末に送信され得る。また、前記制御機１５００は、ＰＤＳＣＨ伝送及び端末のＰＤＳＣＨスケジューリングのためのチャネル状態情報等を受信機１５２０を利用して受信できる。
【０２４７】
なお、前記では、説明の便宜のために、基地局装置の構成をブロックを分けて説明したものであって、基地局装置の構成をこれに限定しない。例えば、基地局は、送信機１５１０と受信機１５２０を含む通信部を含むことができる。通信部を介して、基地局は、少なくとも一つのネットワークノードと通信を行うことができる。
【０２４８】
また、前記制御機１５００は、基地局が前記図１〜図１４を通じて説明する基地局の動作を行うように制御できる。
【０２４９】
図１６は、本発明で提案する干渉除去及び抑制を考慮した端末の装置を説明する図である。
【０２５０】
図１６を参照すれば、端末は、制御機１６００、送信機及び受信機１６２０を含むことができる。
【０２５１】
図１６で、端末機の制御機１６００は、受信機１６２０を利用して基地局からサービング及び干渉セルの伝送パラメータ設定に対する制御情報を受信し、前記ガンセブセルの制御チャネル領域を確認できる。前記制御機１６００は、どんな無線資源を利用して干渉チャネルを測定し、ブラインド感知を行うかと、ブラインド感知に対するＲＩ及びＰＭＩ情報等の可能な集合を判断できる。前記制御機１６００は、ブラインド感知を行い、干渉除去及び抑制を用いた復号を行うことができる。また、前記制御機１６００は、前記受信機１６２０が受信した前記制御情報からＰＤＳＣＨのスケジューリング情報を判断できる。また、前記制御機１６００は、前記受信機１６２０を介して前記ＰＤＳＣＨを受信し、前記ＰＤＳＣＨを復号化する復号化器を含むこともできる。
【０２５２】
本発明の実施例によれば、前記制御機１６００は、少なくとも一つの干渉チャネルに対する伝送パラメータを受信し、前記干渉チャネルに対する伝送モード（ｔｒａｎｓｍｉｓｓｉｏｎ  ｍｏｄｅ、ＴＭ）または可能な伝送モードのうち前記特定ＴＭが支援されるかを判断し、前記干渉チャネルに前記特定ＴＭが支援されれば、前記干渉チャネルの仮想セル識別子（ｖｉｒｔｕａｌ  ｃｅｌｌ  ｉｄｅｎｔｉｆｉｃａｔｉｏｎ、ＶＣＩＤ）及びスクラムブリング識別子（ｓｃｒａｍｂｌｉｎｇ  ｉｄｅｎｔｉｆｉｃａｔｉｏｎ、ＳＣＩＤ）組合候補群に対してブラインド検出（ｂｌｉｎｄ  ｄｅｔｅｃｔｉｏｎ）を行い、前記ブラインド検出結果に基づいて前記端末に対する干渉を除去するように制御できる。この際、前記特定の伝送モードは、伝送モード１０（ｔｒａｎｓｍｉｓｓｉｏｎ  ｍｏｄｅ１０、ＴＭ１０）であることができる。前記ブラインド検出結果は、前記端末に対して最も高い干渉を与える干渉セルの変調次数に対する情報を含むことができる。
【０２５３】
また、前記制御機１６００は、前記端末の伝送モードであるか、前記特定の伝送モードであるかを判断し、前記端末の伝送モードが前記特定の伝送モードであれば、前記端末の制御チャネルを介して前記端末のデータ伝送に対するＶＣＩＤ及びＳＣＩＤを確認するように制御し、前記ＶＣＩＤとＳＣＩＤの組合候補群のうち前記端末に対するデータ伝送に利用されるＶＣＩＤとＳＣＩＤに対する組合を除いた候補群で前記ブラインド検出を行うように制御できる。
【０２５４】
また、前記制御機１６００は、前記組合候補群に含まれた各組合に対して復調基準信号（ｄｅｍｏｄｕｌａｔｉｏｎ  ｒｅｆｅｒｅｎｃｅ  ｓｉｇｎａｌ、ＤＭＲＳ）が存在するかを判断し、ＤＭＲＳが存在すると判断された組合のみに対して前記ブラインド検出を行うように制御できる。
【０２５５】
また、前記制御機１６００は、前記ＤＭＲＳが存在する組合のうち、既定の個数の組合のみに対して前記ブラインド検出を行うように制御できる。また、前記制御機１６００は、前記組合候補群に含まれた各組合に対する干渉チャネルサイズ情報に基づいて各組合を整列し、前記整列手順に基づいてブラインド検出を行うように制御できる。
【０２５６】
また、前記制御機１６００は、前記端末の前記特定モード伝送動作のために受信したＶＣＩＤとＳＣＩＤの組合に対して前記ブラインド検出時に優先順位を設定するように制御できる。
【０２５７】
また、前記制御機１６００は、前記干渉チャネルに対して前記特定ＴＭが支援されなければ、前記干渉セルの物理セル識別子（ｐｈｙｓｉｃａｌ  ｃｅｌｌ  ｉｄｅｎｔｉｆｉｃａｔｉｏｎ、ＰＣＩＤ）とＳＣＩＤの組合候補群に対してブラインド検出を行うように制御できる。
【０２５８】
なお、前記では、説明の便宜のために、端末装置の構成をブロックを分けて説明したものであって、端末装置の構成をこれに限定しない。例えば、端末は、送信機１６１０と受信機１６２０を含む通信部を含むことができる。通信部を介して、端末は、少なくとも一つのネットワークノードと通信を行うことができる。
【０２５９】
また、前記制御機１６００は、端末が図１〜図１４を通じて説明する端末の動作を行うように制御できる。
【符号の説明】
【０２６０】
１５００、１６００  制御機
１５１０、１６１０  送信機
１５２０、１６２０  受信機
【図１】
0006775490.tif 000034
【図２】
0006775490.tif 000035
【図３】
0006775490.tif 000036
【図４】
0006775490.tif 000037
【図５】
0006775490.tif 000038
【図６】
0006775490.tif 000039
【図７】
0006775490.tif 000040
【図８】
0006775490.tif 000041
【図９】
0006775490.tif 000042
【図１０】
0006775490.tif 000043
【図１１】
0006775490.tif 000044
【図１２】
0006775490.tif 000045
【図１３】
0006775490.tif 000046
【図１４】
0006775490.tif 000047
【図１５】
0006775490.tif 000048
【図１６】
0006775490.tif 000049